(57)【要約】本願の実施例はデータの伝送方法及びデバイスを提供し、当該方法は、第１の端末は第２の端末から送信された第３の端末を目標端末とする第１のメッセージを受信することと、前記第１の端末は指示情報に基づき、第１のメッセージを前記第３の端末に中継するか否かを決定することとを含む。【選択図】図２
2021513762.tif 000002
【特許請求の範囲】
【請求項１】
第１の端末は第２の端末から送信された第３の端末を目標端末とする第１のメッセージを受信することと、
前記第１の端末は指示情報に基づき、第１のメッセージを前記第３の端末に中継するか否かを決定することと、を含むことを特徴とするデータの伝送方法。
【請求項２】
前記指示情報は地理的位置情報を指示するために用いられることを特徴とする請求項１に記載の方法。
【請求項３】
前記地理的位置情報は、前記第１の端末の地理的位置情報、前記第２の端末の地理的位置情報、及び前記第３の端末の地理的位置情報のうち少なくとも１項を含むことを特徴とする請求項２に記載の方法。
【請求項４】
前記第１の端末は指示情報に基づき、第１のメッセージを前記第３の端末に中継するか否かを決定することは、
前記第１の端末の地理的位置情報が前記第１の地理的位置条件を満たす場合、前記第１の端末は、前記第１のメッセージを前記第３の端末に中継することを決定すること、又は
前記第１の端末の地理的位置情報が前記第１の地理的位置条件を満たさない場合、前記第１の端末は、前記第１のメッセージを前記第３の端末に中継しないことを決定することを含むことを特徴とする請求項３に記載の方法。
【請求項５】
前記第１の端末は指示情報に基づき、第１のメッセージを前記第３の端末に中継するか否かを決定することは、
前記第２の端末の地理的位置情報が前記第２の地理的位置条件を満たす場合、前記第１の端末は、前記第１のメッセージを前記第３の端末に中継することを決定すること、又は
前記第２の端末の地理的位置情報が前記第２の地理的位置条件を満たさない場合、前記第１の端末は、前記第１のメッセージを前記第３の端末に中継しないことを決定することを含むことを特徴とする請求項３又は４に記載の方法。
【請求項６】
前記第１の端末は指示情報に基づき、第１のメッセージを前記第３の端末に中継するか否かを決定することは、
前記第３の端末の地理的位置情報が前記第３の地理的位置条件を満たす場合、前記第１の端末は、前記第１のメッセージを前記第３の端末に中継することを決定すること、又は
前記第３の端末の地理的位置情報が前記第３の地理的位置条件を満たさない場合、前記第１の端末は、前記第１のメッセージを前記第３の端末に中継しないことを決定することを含むことを特徴とする請求項３〜５のいずれか１項に記載の方法。
【請求項７】
前記第１の地理的位置条件、前記第２の地理的位置条件、及び前記第３の地理的位置条件は、ネットワークデバイスによって設定されるもの、又は前記第１の端末に予め設定されるものであることを特徴とする請求項２〜６のいずれか１項に記載の方法。
【請求項８】
前記地理的位置情報は、絶対的な地理的位置情報又は相対的な地理的位置情報であることを特徴とする請求項２〜７のいずれか１項に記載の方法。
【請求項９】
前記指示情報は、中継端末のセットの情報、送信端末のセットの情報、及び受信端末のセットの情報のうち少なくとも１項を指示するために用いられ、
前記中継端末のセットは受信したメッセージを中継伝送できる端末デバイスのセットを指示するために用いられ、前記送信端末のセットは送信するメッセージを中継伝送する必要がある端末デバイスのセットを指示するために用いられ、前記受信端末のセットは中継伝送を介してメッセージを受信する必要がある端末デバイスのセットを指示するために用いられることを特徴とする請求項１〜８のいずれか１項に記載の方法。
【請求項１０】
前記第１の端末は指示情報に基づき、第１のメッセージを前記第３の端末に中継するか否かを決定することは、
前記第１の端末が前記中継端末のセットに属する場合、前記第１の端末は、前記第１のメッセージを前記第３の端末に中継することを決定すること、又は
前記第１の端末が前記中継端末のセットに属しない場合、前記第１の端末は、前記第１のメッセージを前記第３の端末に中継しないことを決定することを含むことを特徴とする請求項９に記載の方法。
【請求項１１】
前記第１の端末は指示情報に基づき、第１のメッセージを前記第３の端末に中継するか否かを決定することは、
前記第２の端末が前記送信端末のセットに属する場合、前記第１の端末は、前記第１のメッセージを前記第３の端末に中継することを決定すること、又は
前記第２の端末が前記送信端末のセットに属しない場合、前記第１の端末は、前記第１のメッセージを前記第３の端末に中継しないことを決定することを含むことを特徴とする請求項９又は１０に記載の方法。
【請求項１２】
前記第１の端末は指示情報に基づき、第１のメッセージを前記第３の端末に中継するか否かを決定することは、
前記第３の端末が前記受信端末のセットに属する場合、前記第１の端末は、前記第１のメッセージを前記第３の端末に中継することを決定すること、又は
前記第３の端末が前記受信端末のセットに属しない場合、前記第１の端末は、前記第１のメッセージを前記第３の端末に中継しないことを決定することを含むことを特徴とする請求項９〜１１のいずれか１項に記載の方法。
【請求項１３】
前記中継端末のセットの情報、前記送信端末のセットの情報、及び前記受信端末のセットの情報は、ネットワークデバイスによって設定されるもの、又は前記第２の端末によって設定されるものであることを特徴とする請求項９〜１２のいずれか１項に記載の方法。
【請求項１４】
前記中継端末のセットの情報、前記送信端末のセットの情報、及び前記受信端末のセットの情報は、端末デバイスの識別情報であることを特徴とする請求項９〜１３のいずれか１項に記載の方法。
【請求項１５】
前記指示情報は信号品質情報を指示するために用いられることを特徴とする請求項１〜１４のいずれか１項に記載の方法。
【請求項１６】
前記信号品質情報は、前記第１の端末と前記第２の端末との間の信号品質情報及び／又は前記第１の端末と前記第３の端末との間の信号品質情報を含むことを特徴とする請求項１５に記載の方法。
【請求項１７】
前記第１の端末は指示情報に基づき、第１のメッセージを前記第３の端末に中継するか否かを決定することは、
前記第１の端末と前記第２の端末との間の信号品質が第１の信号品質条件を満たす場合、前記第１の端末は、前記第１のメッセージを前記第３の端末に中継することを決定すること、又は
前記第１の端末と前記第２の端末との間の信号品質が前記第１の信号品質条件を満たさない場合、前記第１の端末は、前記第１のメッセージを前記第３の端末に中継しないことを決定することを含むことを特徴とする請求項１６に記載の方法。
【請求項１８】
前記第１の端末は指示情報に基づき、第１のメッセージを前記第３の端末に中継するか否かを決定することは、
前記第１の端末と前記第３の端末との間の信号品質が第２の信号品質条件を満たす場合、前記第１の端末は、前記第１のメッセージを前記第３の端末に中継することを決定すること、又は
前記第１の端末と前記第３の端末との間の信号品質が前記第２の信号品質条件を満たさない場合、前記第１の端末は、前記第１のメッセージを前記第３の端末に中継しないことを決定することを含むことを特徴とする請求項１６又は１７に記載の方法。
【請求項１９】
前記第１の信号品質条件は第１の信号品質閾値であり、前記第２の信号品質条件は第２の信号品質閾値であることを特徴とする請求項１６〜１８のいずれか１項に記載の方法。
【請求項２０】
前記第１の信号品質条件及び前記第２の信号品質条件は、ネットワークデバイスによって設定されるもの、又は前記第１の端末に予め設定されるものであることを特徴とする請求項１６〜１９のいずれか１項に記載の方法。
【請求項２１】
前記指示情報は特定のリソースプールのセットを指示するために用いられることを特徴とする請求項１〜２０のいずれか１項に記載の方法。
【請求項２２】
前記第１の端末は指示情報に基づき、第１のメッセージを前記第３の端末に中継するか否かを決定することは、
前記第１のメッセージの送信リソースプールが前記特定のリソースプールのセットに属する場合、前記第１の端末は、前記第１のメッセージを前記第３の端末に中継することを決定すること、又は
前記第１のメッセージの送信リソースプールが前記特定のリソースプールのセットに属しない場合、前記第１の端末は、前記第１のメッセージを前記第３の端末に中継しないことを決定することを含むことを特徴とする請求項２１に記載の方法。
【請求項２３】
前記指示情報はメッセージの中継方向を指示するために用いられることを特徴とする請求項１〜２２のいずれか１項に記載の方法。
【請求項２４】
前記第１の端末は指示情報に基づき、第１のメッセージを前記第３の端末に中継するか否かを決定することは、
前記第１のメッセージの中継方向が第１の方向である場合、前記第１の端末は、前記第１のメッセージを前記第３の端末に中継することを決定すること、又は
前記第１のメッセージの中継方向が前記第１の方向でない場合、前記第１の端末は、前記第１のメッセージを前記第３の端末に中継しないことを決定することを含むことを特徴とする請求項２３に記載の方法。
【請求項２５】
前記第１の方向は、ネットワークデバイスによって設定されるもの、又は前記第２の端末によって設定されるものであることを特徴とする請求項２４に記載の方法。
【請求項２６】
前記指示情報はさらに中継伝送の最大回数を指示するために用いられ、前記方法は、
前記第１のメッセージの中継回数が前記最大回数に達した場合、前記第１の端末は前記第１のメッセージの前記第３の端末への中継伝送を停止することをさらに含むことを特徴とする請求項１〜２５のいずれか１項に記載の方法。
【請求項２７】
前記第１の端末は、前記第１のメッセージを受信した後、前記第１のメッセージに含まれる前記指示情報によって指示される中継伝送の最大回数を１つ増加又は減少させて、変更された前記第１のメッセージを前記第３の端末に中継伝送することを特徴とする請求項２６に記載の方法。
【請求項２８】
前記方法は、
前記第１の端末がネットワークデバイスから送信された前記指示情報を受信することをさらに含むことを特徴とする請求項１〜２７のいずれか１項に記載の方法。
【請求項２９】
前記方法は、
前記第１の端末が第２の端末から送信された前記指示情報を受信することをさらに含むことを特徴とする請求項１〜２７のいずれか１項に記載の方法。
【請求項３０】
前記第２の端末は物理レイヤメッセージ、メディアアクセス制御ＭＡＣメッセージ、無線リンク制御ＲＬＣメッセージ、パケットデータコンバージェンスプロトコルＰＤＣＰメッセージ、アダプテーションレイヤメッセージ、又はＰＣ５−Ｓメッセージによって前記指示情報を送信することを特徴とする請求項２９に記載の方法。
【請求項３１】
ネットワークデバイスは、第１の端末が第２の端末から送信された第１のメッセージを受信した時に、前記第１のメッセージを第３の端末に中継するか否かを決定するための指示情報を決定することと、
前記ネットワークデバイスは前記第１の端末に前記指示情報を送信することとを含むことを特徴とするデータの伝送方法。
【請求項３２】
前記指示情報は地理的位置条件を指示するために用いられることを特徴とする請求項３１に記載の方法。
【請求項３３】
前記地理的位置条件は前記第１の端末の地理的位置情報に対応する第１の地理的位置条件、前記第２の端末の地理的位置情報に対応する第２の地理的位置条件及び前記第３の端末の地理的位置情報に対応する第３の地理的位置条件のうち少なくとも１項を含むことを特徴とする請求項３２に記載の方法。
【請求項３４】
前記地理的位置情報は、絶対的な地理的位置情報又は相対的な地理的位置情報であることを特徴とする請求項３３に記載の方法。
【請求項３５】
前記指示情報は、中継端末のセットの情報、送信端末のセットの情報、及び受信端末のセットの情報のうち少なくとも１項を指示するために用いられ、
前記中継端末のセットは受信したメッセージを中継伝送できる端末デバイスのセットを指示するために用いられ、前記送信端末のセットは送信するメッセージを中継伝送する必要がある端末デバイスのセットを指示するために用いられ、前記受信端末のセットは中継伝送を介してメッセージを受信する必要がある端末デバイスのセットを指示するために用いられることを特徴とする請求項３１〜３４のいずれか１項に記載の方法。
【請求項３６】
前記指示情報は信号品質条件を指示するために用いられることを特徴とする請求項３１〜３５のいずれか１項に記載の方法。
【請求項３７】
前記信号品質条件は前記第１の端末と前記第２の端末との間の信号品質情報に対応する第１の信号品質条件及び／又は前記第１の端末と前記第３の端末との間の信号品質情報に対応する第２の信号品質条件を含むことを特徴とする請求項３６に記載の方法。
【請求項３８】
前記指示情報は特定のリソースプールのセットを指示するために用いられることを特徴とする請求項３１〜３７のいずれか１項に記載の方法。
【請求項３９】
前記指示情報はメッセージの中継方向を指示するために用いられることを特徴とする請求項３１〜３８のいずれか１項に記載の方法。
【請求項４０】
前記指示情報はさらに中継伝送の最大回数を指示するために用いられることを特徴とする請求項３１〜３９のいずれか１項に記載の方法。
【請求項４１】
第２の端末から送信された第３の端末を目標端末とする第１のメッセージを受信するための通信モジュールと、
指示情報に基づき、第１のメッセージを前記第３の端末に中継するか否かを決定するための決定モジュールとを含むことを特徴とする端末デバイス。
【請求項４２】
前記指示情報は地理的位置情報を指示するために用いられることを特徴とする請求項４１に記載の端末デバイス。
【請求項４３】
前記地理的位置情報は前記端末デバイスの地理的位置情報、前記第２の端末の地理的位置情報及び前記第３の端末の地理的位置情報のうち少なくとも１項を含むことを特徴とする請求項４２に記載の端末デバイス。
【請求項４４】
前記決定モジュールは具体的に、
前記端末デバイスの地理的位置情報が前記第１の地理的位置条件を満たす場合、前記第１のメッセージを前記第３の端末に中継することを決定する、又は
前記端末デバイスの地理的位置情報が前記第１の地理的位置条件を満たさない場合、前記第１のメッセージを前記第３の端末に中継しないことを決定するために用いられることを特徴とする請求項４３に記載の端末デバイス。
【請求項４５】
前記決定モジュールは具体的に、
前記第２の端末の地理的位置情報が前記第２の地理的位置条件を満たす場合、前記第１のメッセージを前記第３の端末に中継することを決定する、又は
前記第２の端末の地理的位置情報が前記第２の地理的位置条件を満たさない場合、前記第１のメッセージを前記第３の端末に中継しないことを決定するために用いられることを特徴とする請求項４３又は４４に記載の端末デバイス。
【請求項４６】
前記決定モジュールは具体的に、
前記第３の端末の地理的位置情報が前記第３の地理的位置条件を満たす場合、前記第１のメッセージを前記第３の端末に中継することを決定する、又は
前記第３の端末の地理的位置情報が前記第３の地理的位置条件を満たさない場合、前記第１のメッセージを前記第３の端末に中継しないことを決定するために用いられることを特徴とする請求項４３〜４５のいずれか１項に記載の端末デバイス。
【請求項４７】
前記第１の地理的位置条件、前記第２の地理的位置条件及び前記第３の地理的位置条件はネットワークデバイスによって設定されるもの、又は前記端末デバイスに予め設定されるものであることを特徴とする請求項４２〜４６のいずれか１項に記載の端末デバイス。
【請求項４８】
前記地理的位置情報は、絶対的な地理的位置情報又は相対的な地理的位置情報であることを特徴とする請求項４２〜４７のいずれか１項に記載の端末デバイス。
【請求項４９】
前記指示情報は、中継端末のセットの情報、送信端末のセットの情報、及び受信端末のセットの情報のうち少なくとも１項を指示するために用いられ、
前記中継端末のセットは受信したメッセージを中継伝送できる端末デバイスのセットを指示するために用いられ、前記送信端末のセットは送信するメッセージを中継伝送する必要がある端末デバイスのセットを指示するために用いられ、前記受信端末のセットは中継伝送を介してメッセージを受信する必要がある端末デバイスのセットを指示するために用いられることを特徴とする請求項４１〜４８のいずれか１項に記載の端末デバイス。
【請求項５０】
前記決定モジュールは具体的に、
前記端末デバイスが前記中継端末のセットに属する場合、前記第１のメッセージを前記第３の端末に中継することを決定する、又は
前記端末デバイスが前記中継端末のセットに属しない場合、前記第１のメッセージを前記第３の端末に中継しないことを決定するために用いられることを特徴とする請求項４９に記載の端末デバイス。
【請求項５１】
前記決定モジュールは具体的に、
前記第２の端末が前記送信端末のセットに属する場合、前記第１のメッセージを前記第３の端末に中継することを決定する、又は
前記第２の端末が前記送信端末のセットに属しない場合、前記第１のメッセージを前記第３の端末に中継しないことを決定するために用いられることを特徴とする請求項４９又は５０に記載の端末デバイス。
【請求項５２】
前記決定モジュールは具体的に、
前記第３の端末が前記受信端末のセットに属する場合、前記第１のメッセージを前記第３の端末に中継することを決定する、又は
前記第３の端末が前記受信端末のセットに属しない場合、前記第１のメッセージを前記第３の端末に中継しないことを決定するために用いられることを特徴とする請求項４９〜５１のいずれか１項に記載の端末デバイス。
【請求項５３】
前記中継端末のセットの情報、前記送信端末のセットの情報、及び前記受信端末のセットの情報は、ネットワークデバイスによって設定されるもの、又は前記第２の端末によって設定されるものであることを特徴とする請求項４９〜５２のいずれか１項に記載の端末デバイス。
【請求項５４】
前記中継端末のセットの情報、前記送信端末のセットの情報、及び前記受信端末のセットの情報は、端末デバイスの識別情報であることを特徴とする請求項４９〜５３のいずれか１項に記載の端末デバイス。
【請求項５５】
前記指示情報は信号品質情報を指示するために用いられることを特徴とする請求項４１〜５４のいずれか１項に記載の端末デバイス。
【請求項５６】
前記信号品質情報は、前記端末デバイスと前記第２の端末との間の信号品質情報及び／又は前記端末デバイスと前記第３の端末との間の信号品質情報を含むことを特徴とする請求項５５に記載の端末デバイス。
【請求項５７】
前記決定モジュールは具体的に、
前記端末デバイスと前記第２の端末との間の信号品質が第１の信号品質条件を満たす場合、前記第１のメッセージを前記第３の端末に中継することを決定する、又は
前記端末デバイスと前記第２の端末との間の信号品質が前記第１の信号品質条件を満たさない場合、前記第１のメッセージを前記第３の端末に中継しないことを決定するために用いられることを特徴とする請求項５６に記載の端末デバイス。
【請求項５８】
前記決定モジュールは具体的に、
前記端末デバイスと前記第３の端末との間の信号品質が第２の信号品質条件を満たす場合、前記第１のメッセージを前記第３の端末に中継することを決定する、又は
前記端末デバイスと前記第３の端末との間の信号品質が前記第２の信号品質条件を満たさない場合、前記第１のメッセージを前記第３の端末に中継しないことを決定するために用いられることを特徴とする請求項５６又は５７に記載の端末デバイス。
【請求項５９】
前記第１の信号品質条件は第１の信号品質閾値であり、前記第２の信号品質条件は第２の信号品質閾値であることを特徴とする請求項５６〜５８のいずれか１項に記載の端末デバイス。
【請求項６０】
前記第１の信号品質条件及び前記第２の信号品質条件はネットワークデバイスによって設定されるもの、又は前記端末デバイスに予め設定されるものであることを特徴とする請求項５６〜５９のいずれか１項に記載の端末デバイス。
【請求項６１】
前記指示情報は特定のリソースプールのセットを指示するために用いられることを特徴とする請求項４１〜６０のいずれか１項に記載の端末デバイス。
【請求項６２】
前記決定モジュールは具体的に、
前記第１のメッセージの送信リソースプールが前記特定リソースプールのセットに属する場合、前記第１のメッセージを前記第３の端末に中継することを決定する、又は
前記第１のメッセージの送信リソースプールが前記特定リソースプールのセットに属しない場合、前記第１のメッセージを前記第３の端末に中継しないことを決定するために用いられることを特徴とする請求項６１に記載の端末デバイス。
【請求項６３】
前記指示情報はメッセージの中継方向を指示するために用いられることを特徴とする請求項４１〜６２のいずれか１項に記載の端末デバイス。
【請求項６４】
前記決定モジュールは具体的に、
前記第１のメッセージの中継方向が第１の方向である場合、前記第１のメッセージを前記第３の端末に中継することを決定する、又は
前記第１のメッセージの中継方向が前記第１の方向でない場合、前記第１のメッセージを前記第３の端末に中継しないことを決定するために用いられることを特徴とする請求項６３に記載の端末デバイス。
【請求項６５】
前記第１の方向は、ネットワークデバイスによって設定されるもの、又は前記第２の端末によって設定されるものであることを特徴とする請求項６４に記載の端末デバイス。
【請求項６６】
前記指示情報はさらに中継伝送の最大回数を指示するために用いられ、前記通信モジュールはさらに、
前記第１のメッセージの中継回数が前記最大回数に達した場合、前記第１のメッセージの前記第３の端末への中継伝送を停止するために用いられることを特徴とする請求項４１〜６５のいずれか１項に記載の端末デバイス。
【請求項６７】
前記端末デバイスは、前記第１のメッセージを受信した後、前記第１のメッセージに含まれる前記指示情報によって指示される中継伝送の最大回数を１つ増加又は減少させて、変更された前記第１のメッセージを前記第３の端末に中継することを特徴とする請求項６６に記載の端末デバイス。
【請求項６８】
前記通信モジュールはさらに、
ネットワークデバイスから送信された前記指示情報を受信するために用いられることを特徴とする請求項４１〜６７のいずれか１項に記載の端末デバイス。
【請求項６９】
前記通信モジュールはさらに、
第２の端末から送信された前記指示情報を受信するために用いられることを特徴とする請求項４１〜６７のいずれか１項に記載の端末デバイス。
【請求項７０】
前記第２の端末は物理レイヤメッセージ、メディアアクセス制御ＭＡＣメッセージ、無線リンク制御ＲＬＣメッセージ、パケットデータコンバージェンスプロトコルＰＤＣＰメッセージ、アダプテーションレイヤメッセージ、又はＰＣ５−Ｓメッセージによって前記指示情報を送信することを特徴とする請求項６９に記載の端末デバイス。
【請求項７１】
第１の端末が第２の端末から送信された第１のメッセージを受信した時に、前記第１のメッセージを第３の端末に中継するか否かを決定するための指示情報を決定するために用いられる決定モジュールと、
前記第１の端末に前記指示情報を送信するために用いられる通信モジュールとを含むことを特徴とするネットワークデバイス。
【請求項７２】
前記指示情報は地理的位置条件を指示するために用いられることを特徴とする請求項７１に記載のネットワークデバイス。
【請求項７３】
前記地理的位置条件は前記第１の端末の地理的位置情報に対応する第１の地理的位置条件、前記第２の端末の地理的位置情報に対応する第２の地理的位置条件及び前記第３の端末の地理的位置情報に対応する第３の地理的位置条件のうち少なくとも１項を含むことを特徴とする請求項７２に記載のネットワークデバイス。
【請求項７４】
前記地理的位置情報は、絶対的な地理的位置情報又は相対的な地理的位置情報であることを特徴とする請求項７３に記載のネットワークデバイス。
【請求項７５】
前記指示情報は、中継端末のセットの情報、送信端末のセットの情報、及び受信端末のセットの情報のうち少なくとも１項を指示するために用いられ、
前記中継端末のセットは受信したメッセージを中継伝送できる端末デバイスのセットを指示するために用いられ、前記送信端末のセットは送信するメッセージを中継伝送する必要がある端末デバイスのセットを指示するために用いられ、前記受信端末のセットは中継伝送を介してメッセージを受信する必要がある端末デバイスのセットを指示するために用いられることを特徴とする請求項７１〜７４のいずれか１項に記載のネットワークデバイス。
【請求項７６】
前記指示情報は信号品質条件を指示するために用いられることを特徴とする請求項７１〜７５のいずれか１項に記載のネットワークデバイス。
【請求項７７】
前記信号品質条件は前記第１の端末と前記第２の端末との間の信号品質情報に対応する第１の信号品質条件及び／又は前記第１の端末と前記第３の端末との間の信号品質情報に対応する第２の信号品質条件を含むことを特徴とする請求項７６に記載のネットワークデバイス。
【請求項７８】
前記指示情報は特定のリソースプールのセットを指示するために用いられることを特徴とする請求項７１〜７７のいずれか１項に記載のネットワークデバイス。
【請求項７９】
前記指示情報はメッセージの中継方向を指示するために用いられることを特徴とする請求項７１〜７８のいずれか１項に記載のネットワークデバイス。
【請求項８０】
前記指示情報はさらに中継伝送の最大回数を指示するために用いられることを特徴とする請求項７１〜７９のいずれか１項に記載のネットワークデバイス。
【発明の詳細な説明】
【技術分野】
【０００１】
本願の実施例は、通信分野に関し、特に、データの伝送方法、端末デバイス及びネットワークデバイスに関する。
【背景技術】
【０００２】
デバイス・ツー・デバイス（Ｄｅｖｉｃｅ  ｔｏ  Ｄｅｖｉｃｅ、Ｄ２Ｄ）である端末間通信技術は、近隣端末が直接接続ネットワークを介して近距離範囲内でデータ伝送を行う方法を指し、Ｄ２Ｄ技術は、中央ノード（例えば、基地局）が転送を行う必要がなく、従って、より高いデータ速度及びより低い伝送遅延を有する。
【０００３】
Ｄ２Ｄ通信では、第２の端末は第１の端末を介して第３の端末に情報を転送してもよく、つまり、まず第２の端末は伝送対象メッセージを第１の端末に送信し、その後第１の端末が当該伝送対象メッセージを第３の端末に送信する。従って、第１の端末が当該メッセージを受信した後、当該伝送対象メッセージを第３の端末に中継するか否かをどのように決定するかが解決すべき緊急の問題である。
【発明の概要】
【発明が解決しようとする課題】
【０００４】
本願の実施例はデータの伝送方法、端末デバイス及びネットワークデバイスを提供し、中継端末は、指示情報に基づき、特定のメッセージを中継するか否かを決定する。
【課題を解決するための手段】
【０００５】
第１の態様にて提供されるデータの伝送方法は、第１の端末は第２の端末から送信された第３の端末を目標端末とする第１のメッセージを受信することと、前記第１の端末は指示情報に基づき、第１のメッセージを前記第３の端末に中継するか否かを決定することとを含む。
【０００６】
いくつかの可能な実施態様では、前記指示情報は地理的位置情報を指示するために用いられる。
【０００７】
いくつかの可能な実施態様では、前記地理的位置情報は、前記第１の端末の地理的位置情報、前記第２の端末の地理的位置情報、及び前記第３の端末の地理的位置情報のうち少なくとも１項を含む。
【０００８】
いくつかの可能な実施態様では、前記第１の端末は指示情報に基づき、第１のメッセージを前記第３の端末に中継するか否かを決定することは、前記第１の端末の地理的位置情報が前記第１の地理的位置条件を満たす場合、前記第１の端末は、前記第１のメッセージを前記第３の端末に中継することを決定すること、又は、前記第１の端末の地理的位置情報が前記第１の地理的位置条件を満たさない場合、前記第１の端末は、前記第１のメッセージを前記第３の端末に中継しないことを決定することを含む。
【０００９】
いくつかの可能な実施態様では、前記第１の端末は指示情報に基づき、第１のメッセージを前記第３の端末に中継するか否かを決定することは、前記第２の端末の地理的位置情報が前記第２の地理的位置条件を満たす場合、前記第１の端末は、前記第１のメッセージを前記第３の端末に中継することを決定すること、又は、前記第２の端末の地理的位置情報が前記第２の地理的位置条件を満たさない場合、前記第１の端末は、前記第１のメッセージを前記第３の端末に中継しないことを決定することを含む。
【００１０】
いくつかの可能な実施態様では、前記第１の端末は指示情報に基づき、第１のメッセージを前記第３の端末に中継するか否かを決定することは、前記第３の端末の地理的位置情報が前記第３の地理的位置条件を満たす場合、前記第１の端末は、前記第１のメッセージを前記第３の端末に中継することを決定すること、又は、前記第３の端末の地理的位置情報が前記第３の地理的位置条件を満たさない場合、前記第１の端末は、前記第１のメッセージを前記第３の端末に中継しないことを決定することを含む。
【００１１】
いくつかの可能な実施態様では、前記第１の地理的位置条件、前記第２の地理的位置条件、及び前記第３の地理的位置条件は、ネットワークデバイスによって設定されるもの、又は前記第１の端末に予め設定されるものである。
【００１２】
いくつかの可能な実施態様では、前記地理的位置情報は、絶対的な地理的位置情報又は相対的な地理的位置情報である。
【００１３】
いくつかの可能な実施態様では、前記指示情報は、中継端末のセットの情報、送信端末のセットの情報、及び受信端末のセットの情報のうち少なくとも１項を指示するために用いられ、ここで、前記中継端末のセットは受信したメッセージを中継伝送できる端末デバイスのセットを指示するために用いられ、前記送信端末のセットは送信するメッセージを中継伝送する必要がある端末デバイスのセットを指示するために用いられ、前記受信端末のセットは中継伝送を介してメッセージを受信する必要がある端末デバイスのセットを指示するために用いられる。
【００１４】
いくつかの可能な実施態様では、前記第１の端末は指示情報に基づき、第１のメッセージを前記第３の端末に中継するか否かを決定することは、前記第１の端末が前記中継端末のセットに属する場合、前記第１の端末は、前記第１のメッセージを前記第３の端末に中継することを決定すること、又は、前記第１の端末が前記中継端末のセットに属しない場合、前記第１の端末は、前記第１のメッセージを前記第３の端末に中継しないことを決定することを含む。
【００１５】
いくつかの可能な実施態様では、前記第１の端末は指示情報に基づき、第１のメッセージを前記第３の端末に中継するか否かを決定することは、前記第２の端末が前記送信端末のセットに属する場合、前記第１の端末は、前記第１のメッセージを前記第３の端末に中継することを決定すること、又は、前記第２の端末が前記送信端末のセットに属しない場合、前記第１の端末は、前記第１のメッセージを前記第３の端末に中継しないことを決定することを含む。
【００１６】
いくつかの可能な実施態様では、前記第１の端末は指示情報に基づき、第１のメッセージを前記第３の端末に中継するか否かを決定することは、前記第３の端末が前記受信端末のセットに属する場合、前記第１の端末は、前記第１のメッセージを前記第３の端末に中継することを決定すること、又は、前記第３の端末が前記受信端末のセットに属しない場合、前記第１の端末は、前記第１のメッセージを前記第３の端末に中継しないことを決定することを含む。
【００１７】
いくつかの可能な実施態様では、前記中継端末のセットの情報、前記送信端末のセットの情報、及び前記受信端末のセットの情報は、ネットワークデバイスによって設定されるもの、又は前記第２の端末によって設定されるものである。
【００１８】
いくつかの可能な実施態様では、前記中継端末のセットの情報、前記送信端末のセットの情報、及び前記受信端末のセットの情報は、端末デバイスの識別情報である。
【００１９】
いくつかの可能な実施態様では、前記指示情報は信号品質情報を指示するために用いられる。
【００２０】
いくつかの可能な実施態様では、前記信号品質情報は、前記第１の端末と前記第２の端末との間の信号品質情報及び／又は前記第１の端末と前記第３の端末との間の信号品質情報を含む。
【００２１】
いくつかの可能な実施態様では、前記第１の端末は指示情報に基づき、第１のメッセージを前記第３の端末に中継するか否かを決定することは、前記第１の端末と前記第２の端末との間の信号品質が第１の信号品質条件を満たす場合、前記第１の端末は、前記第１のメッセージを前記第３の端末に中継することを決定すること、又は、前記第１の端末と前記第２の端末との間の信号品質が前記第１の信号品質条件を満たさない場合、前記第１の端末は、前記第１のメッセージを前記第３の端末に中継しないことを決定することを含む。
【００２２】
いくつかの可能な実施態様では、前記第１の端末は指示情報に基づき、第１のメッセージを前記第３の端末に中継するか否かを決定することは、前記第１の端末と前記第３の端末との間の信号品質が第２の信号品質条件を満たす場合、前記第１の端末は、前記第１のメッセージを前記第３の端末に中継することを決定すること、又は、前記第１の端末と前記第３の端末との間の信号品質が前記第２の信号品質条件を満たさない場合、前記第１の端末は、前記第１のメッセージを前記第３の端末に中継しないことを決定することを含む。
【００２３】
いくつかの可能な実施態様では、前記第１の信号品質条件は第１の信号品質閾値であり、前記第２の信号品質条件は第２の信号品質閾値である。
【００２４】
いくつかの可能な実施態様では、前記第１の信号品質条件及び前記第２の信号品質条件は、ネットワークデバイスによって設定されるもの、又は前記第１の端末に予め設定されるものである。
【００２５】
いくつかの可能な実施態様では、前記指示情報は特定のリソースプールのセットを指示するために用いられる。
【００２６】
いくつかの可能な実施態様では、前記第１の端末は指示情報に基づき、第１のメッセージを前記第３の端末に中継するか否かを決定することは、前記第１のメッセージの送信リソースプールが前記特定のリソースプールのセットに属する場合、前記第１の端末は、前記第１のメッセージを前記第３の端末に中継することを決定すること、又は、前記第１のメッセージの送信リソースプールが前記特定のリソースプールのセットに属しない場合、前記第１の端末は、前記第１のメッセージを前記第３の端末に中継しないことを決定することを含む。
【００２７】
いくつかの可能な実施態様では、前記指示情報はメッセージの中継方向を指示するために用いられる。
【００２８】
いくつかの可能な実施態様では、前記第１の端末は指示情報に基づき、第１のメッセージを前記第３の端末に中継するか否かを決定することは、前記第１のメッセージの中継方向が第１の方向である場合、前記第１の端末は、前記第１のメッセージを前記第３の端末に中継することを決定すること、又は、前記第１のメッセージの中継方向が前記第１の方向でない場合、前記第１の端末は、前記第１のメッセージを前記第３の端末に中継しないことを決定することを含む。
【００２９】
いくつかの可能な実施態様では、前記第１の方向は、ネットワークデバイスによって設定されるもの、又は前記第２の端末によって設定されるものである。
【００３０】
いくつかの可能な実施態様では、前記指示情報はさらに中継伝送の最大回数を指示するために用いられ、前記方法は、前記第１のメッセージの中継回数が前記最大回数に達した場合、前記第１の端末は前記第１のメッセージの前記第３の端末への中継伝送を停止することをさらに含む。
【００３１】
いくつかの可能な実施態様では、前記第１の端末は、前記第１のメッセージを受信した後、前記第１のメッセージに含まれる前記指示情報によって指示される中継伝送の最大回数を１つ増加又は減少させて、変更された前記第１のメッセージを前記第３の端末に中継伝送する。
【００３２】
いくつかの可能な実施態様では、前記方法は、前記第１の端末がネットワークデバイスから送信された前記指示情報を受信することをさらに含む。
【００３３】
いくつかの可能な実施態様では、前記方法は、前記第１の端末が第２の端末から送信された前記指示情報を受信することをさらに含む。
【００３４】
いくつかの可能な実施態様では、前記第２の端末は物理レイヤメッセージ、メディアアクセス制御ＭＡＣメッセージ、無線リンク制御ＲＬＣメッセージ、パケットデータコンバージェンスプロトコルＰＤＣＰメッセージ、アダプテーションレイヤメッセージ、又はＰＣ５−Ｓメッセージによって前記指示情報を送信する。
【００３５】
従って、本願の実施例に係るデータの伝送方法において、中継端末は、地理的位置情報、信号品質情報、送信端末、中継端末及び受信端末が属する端末デバイスのセットの情報、リソースプール情報、中継方向情報のうち少なくとも１項に基づき、当該第１のメッセージを第３の端末に中継するか否かを決定でき、それにより柔軟な中継伝送を実施できる。
【００３６】
第２の態様にて提供されるデータの伝送方法は、ネットワークデバイスは、第１の端末が第２の端末から送信された第１のメッセージを受信した時に、前記第１のメッセージを第３の端末に中継するか否かを決定するための指示情報を決定することと、前記ネットワークデバイスは前記第１の端末に前記指示情報を送信することとを含む。
【００３７】
いくつかの可能な実施態様では、前記指示情報は地理的位置条件を指示するために用いられる。
【００３８】
いくつかの可能な実施態様では、前記地理的位置条件は前記第１の端末の地理的位置情報に対応する第１の地理的位置条件、前記第２の端末の地理的位置情報に対応する第２の地理的位置条件及び前記第３の端末の地理的位置情報に対応する第３の地理的位置条件のうち少なくとも１項を含む。
【００３９】
いくつかの可能な実施態様では、前記地理的位置情報は、絶対的な地理的位置情報又は相対的な地理的位置情報である。
【００４０】
いくつかの可能な実施態様では、前記指示情報は、中継端末のセットの情報、送信端末のセットの情報、及び受信端末のセットの情報のうち少なくとも１項を指示するために用いられ、ここで、前記中継端末のセットは受信したメッセージを中継伝送できる端末デバイスのセットを指示するために用いられ、前記送信端末のセットは送信するメッセージを中継伝送する必要がある端末デバイスのセットを指示するために用いられ、前記受信端末のセットは中継伝送を介してメッセージを受信する必要がある端末デバイスのセットを指示するために用いられる。
【００４１】
いくつかの可能な実施態様では、前記指示情報は信号品質条件を指示するために用いられる。
【００４２】
いくつかの可能な実施態様では、前記信号品質条件は前記第１の端末と前記第２の端末との間の信号品質情報に対応する第１の信号品質条件及び／又は前記第１の端末と前記第３の端末との間の信号品質情報に対応する第２の信号品質条件を含む。
【００４３】
いくつかの可能な実施態様では、前記指示情報は特定のリソースプールのセットを指示するために用いられる。
【００４４】
いくつかの可能な実施態様では、前記指示情報はメッセージの中継方向を指示するために用いられる。
【００４５】
いくつかの可能な実施態様では、前記指示情報はさらに中継伝送の最大回数を指示するために用いられる。
【００４６】
第３の態様にて提供される端末デバイスは、上記第１の態様又は第１の態様の任意の可能な実施態様における方法を実行するために用いられる。具体的には、当該端末デバイスは、上記第１の態様又は第１の態様の任意の可能な実施態様における方法を実行するために用いられるユニットを含む。
【００４７】
第４の態様にて提供されるネットワークデバイスは、上記第２の態様又は第２の態様の任意の可能な実施態様における方法を実行するために用いられる。具体的には、当該ネットワークデバイスは、上記第２の態様又は第２の態様の任意の可能な実施態様における方法を実行するために用いられるユニットを含む。
【００４８】
第５の態様にて提供される端末デバイスはメモリと、プロセッサと、入力インタフェースと、出力インタフェースとを含む。ここで、メモリと、プロセッサと、入力インタフェースと、出力インタフェースとはバスシステムを介して接続される。当該メモリはコマンドを記憶するために用いられ、当該プロセッサは、上記第１の態様又は第１の態様の任意の可能な実施態様における方法を実行するように、当該メモリに記憶されているコマンドを実行するために用いられる。
【００４９】
第６の態様にて提供されるネットワークデバイスはメモリと、プロセッサと、入力インタフェースと、出力インタフェースとを含む。ここで、メモリと、プロセッサと、入力インタフェースと、出力インタフェースとはバスシステムを介して接続される。当該メモリはコマンドを記憶するために用いられ、当該プロセッサは、上記第２の態様又は第２の態様の任意の可能な実施態様における方法を実行するように、当該メモリに記憶されているコマンドを実行するために用いられる。
【００５０】
第７の態様にて提供されるコンピュータ記憶媒体は、上記第１の態様又は第１の態様の任意の可能な実施態様における方法を実行するために用いられるコンピュータソフトウェアコマンドを記憶するために用いられ、上記コンピュータソフトウェアコマンドは上記態様を実行するために設計されたプログラムを含む。
【００５１】
第８の態様にて提供されるコンピュータ記憶媒体は、上記第２の態様又は第２の態様の任意の可能な実施態様における方法を実行するために用いられるコンピュータソフトウェアコマンドを記憶するために用いられ、上記コンピュータソフトウェアコマンドは上記態様を実行するために設計されたプログラムを含む。
【００５２】
第９の態様にて提供されるコマンドを含むコンピュータプログラム製品は、コンピュータで実行されると、コンピュータに上記第１の態様又は第１の態様のいずれかの選択可能な実施態様における方法を実行させる。
【００５３】
第１０の態様にて提供されるコマンドを含むコンピュータプログラム製品は、コンピュータで実行されると、コンピュータに上記第２の態様又は第２の態様のいずれかの選択可能な実施態様における方法を実行させる。
【図面の簡単な説明】
【００５４】
【図１】本願の実施例による通信システムを示す概略図である。
【図２】本願の実施例によるデータの伝送方法を示す概略フローチャートである。
【図３】本願の実施例によるデータの伝送方法を示す概略フローチャートである。
【図４】本願の実施例による端末デバイスを示す概略ブロック図である。
【図５】本願の実施例によるネットワークデバイスを示す概略ブロック図である。
【図６】本願の実施例による端末デバイスを示す概略ブロック図である。
【図７】本願の実施例によるネットワークデバイスを示す概略ブロック図である。
【発明を実施するための形態】
【００５５】
以下、本願の実施例における添付図面を参照しながら、本願の実施例における技術的解決手段について説明する。
【００５６】
理解すべきことは、本願の実施例における技術的解決手段は、例えば、ＬＴＥ（登録商標）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、第４．５（４．５ｔｈ  ｇｅｎｅｒａｔｉｏｎ、４．５Ｇ）世代ネットワーク、第５世代（５ｔｈ  ｇｅｎｅｒａｔｉｏｎ、５Ｇ）ネットワーク、新しいラジオ（ｎｅｗ  ｒａｄｉｏ、ＮＲ）など、様々な通信システムに適用可能である。本願の実施例は、ビークル・ツー・ビークル（ｖｅｈｉｃｌｅ  ｔｏ  ｖｅｈｉｃｌｅ、Ｖ２Ｖ）システムなどのビークル・ツー・エブリシング（ｖｅｈｉｃｌｅ  ｔｏ  ｅｖｅｒｙｔｈｉｎｇ、Ｖ２Ｘ）システムにも適用可能であり、又は、デバイス・ツー・デバイス（ｄｅｖｉｃｅ  ｔｏ  ｄｅｖｉｃｅ、Ｄ２Ｄ）システムにも適用可能であり、本願の実施例はこれらに限定されない。
【００５７】
理解すべきことは、本願の実施例における端末デバイスは、端末（Ｔｅｒｍｉｎａｌ）、ユーザ機器（ｕｓｅｒ  ｅｑｕｉｐｍｅｎｔ、ＵＥ）、移動局（ｍｏｂｉｌｅ  ｓｔａｔｉｏｎ、ＭＳ）、移動端末（ｍｏｂｉｌｅ  ｔｅｒｍｉｎａｌ、ＭＴ）などと呼ばれてもよい。当該端末デバイスは、例えば車両又は自動運転（ｓｅｌｆ  ｄｒｉｖｉｎｇ）における無線無線端末などの車両用端末（ｖｅｈｉｃｌｅ  ｕｓｅｒ  ｅｑｕｉｐｍｅｎｔ、ＶＵＥ）であってもよく、又は、当該端末デバイスは、例えば携帯電話（ｍｏｂｉｌｅ  ｐｈｏｎｅ）、タブレット（Ｐａｄ）、無線送受信機能付き無線のコンピュータなどの歩行者用手持ち端末（ｐｅｄｅｓｔｒｉａｎ  ｕｓｅｒ  ｅｑｕｉｐｍｅｎｔ、ＰＵＥ）であってもよい。
【００５８】
理解すべきことは、本願の実施例に係るネットワークデバイスは、端末デバイスに無線通信機能を提供するために無線アクセスネットワークに配備される装置である。前記ネットワークデバイスは基地局であってもよく、前記基地局は、様々な形態のマクロ基地局、マイクロ基地局、中継局、アクセスポイントなどを含んでもよい。異なる無線アクセステクノロジーを使用するシステムでは、基地局機能を備えたデバイスの名前が異なる可能性がある。例えば、ＬＴＥネットワークでは、これは発展型ノードＢ（ｅｖｏｌｖｅｄ  ｎｏｄｅＢ、ｅＮＢ又はｅＮｏｄｅＢ）と呼ばれ、第３世代（３ｒｄ  Ｇｅｎｅｒａｔｉｏｎ、３Ｇ）ネットワークでは、ノードＢ（ノードＢ）などと呼ばれる。
【００５９】
図１は本願の実施例による通信システムを示す概略図である。図１に示すように、本願の実施例は様々な適用場面に適用可能であり、ここでは、車両のインターネットシステムにおけるネットワークデバイス及び端末デバイスを例として説明し、ここで、ネットワークデバイスは基地局１１０であってもよく、端末デバイスは、例えば、車両１２１及び車両１２２などの車両用端末であってもよい。
【００６０】
車両のインターネットシステムでは、送信端末が中継端末にメッセージを送信でき、中継端末が当該メッセージを受信した後、当該メッセージの目標端末（又は受信端末）に当該メッセージを中継するか否かをどのように決定するかは解決すべき緊急の問題である。
【００６１】
上記問題点に鑑みて、本願の実施例は、中継端末が目標端末にメッセージを中継するか否かを決定できるデータの伝送方法を提供する。
【００６２】
図２は本願の一実施例によるデータの伝送方法２００を示す概略フローチャートであり、当該方法２００は、図１に示される通信システム１００における端末デバイスによって実行可能であり、図２に示すように、当該方法２００は、
第１の端末は第２の端末から送信された第３の端末を目標端末とする第１のメッセージを受信するＳ２１０と、
前記第１の端末は指示情報に基づき、第１のメッセージを前記第３の端末に中継するか否かを決定するＳ２２０とを含む。
【００６３】
本願の実施例では、第１の端末は、第２の端末からの第１のメッセージを受信でき、当該第２の端末の目標端末は第３の端末であり、すなわち、第２の端末は送信端末であり、第３の端末は受信端末であり、第１の端末は中継端末であり、この場合、前記第１の端末は、指示情報に基づき、前記第１のメッセージを前記第３の端末に中継するか否かを決定することができる。ここで、当該指示情報は、ネットワークデバイスから前記第１の端末に送信されるものであってもよく、前記第２の端末から前記第１の端末に送信されるものであってもよく、例えば、前記第２の端末は物理レイヤ（ＰＨＹ）メッセージ、メディアアクセス制御（Ｍｅｄｉａ  Ａｃｃｅｓｓ  Ｃｏｎｔｒｏｌ、ＭＡＣ）メッセージ、無線リンク制御（Ｒａｄｉｏ  Ｌｉｎｋ  Ｃｏｎｔｒｏｌ、ＲＬＣ）メッセージ、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）メッセージ、アダプテーションレイヤ（ａｄａｐｔａｔｉｏｎ  ｌａｙｅｒ）メッセージ、又はＰＣ５シグナリング（ＰＣ５−Ｓｉｇｎａｌｉｎｇ、ＰＣ５−Ｓ）メッセージなどによって前記第１の端末に前記指示情報を送信することができ、本願の実施例はこれについて限定しない。
【００６４】
選択的に、本願の実施例では、前記指示情報は、特定のパラメータ又は情報に基づき、当該第１のメッセージを中継するか否かを決定するように前記第１の端末に指示するために用いられてもよい。例えば、前記指示情報は、前記第１のメッセージのタイプに基づき、前記第１のメッセージを中継するか否かを決定するように前記第１の端末に指示するために用いられてもよく、例えば、前記第１の端末は、第１のメッセージのタイプが特定のタイプに属する場合、前記第１のメッセージを中継することを決定することができる。ここで、前記特定のタイプは、ネットワークデバイスによって設定されるもの、又は前記第２の端末によって設定されるものであってもよく、又は、前記第１の端末に予め設定されるものであってもよく、本願の実施例はこれについて限定しない。
【００６５】
本願の実施例では、前記指示情報は、地理的位置情報を指示するために用いられてもよく、すなわち、前記第１の端末は、地理的位置情報に基づき、前記第１のメッセージを第３の端末に中継するか否かを決定することができる。選択的に、前記地理的位置情報は、前記第１の端末の地理的位置情報、前記第２の端末の地理的位置情報、及び前記第３の端末の地理的位置情報のうち少なくとも１項を含み、この場合、Ｓ２２０は、
前記第１の端末は、前記第１の端末の地理的位置情報、前記第２の端末の地理的位置情報、及び前記第３の端末の地理的位置情報のうち少なくとも１項に基づき、前記第１のメッセージを前記第３の端末に中継するか否かを決定することを含んでよい。
【００６６】
つまり、前記第１の端末は、前記第１の端末の地理的位置情報、前記第２の端末の地理的位置情報（前記第２の端末は自身の地理的位置を第１の端末として報告することができる）、及び前記第３の端末の地理的位置情報（前記第３の端末は自身の地理的位置を第１の端末に報告することができる）のうち少なくとも１項を取得することができ、その後上記地理的位置情報に基づき、前記第１のメッセージを前記第３の端末に中継するか否かを決定する。
【００６７】
選択的に、１つの実施例として、前記第１の端末は、前記第１の端末の地理的位置情報、前記第２の端末の地理的位置情報、及び前記第３の端末の地理的位置情報のうち少なくとも１項に基づき、前記第１のメッセージを前記第３の端末に中継するか否かを決定することは、
前記第１の端末の地理的位置情報が前記第１の地理的位置条件を満たす場合、前記第１の端末は、前記第１のメッセージを前記第３の端末に中継することを決定すること、又は
前記第１の端末の地理的位置情報が前記第１の地理的位置条件を満たさない場合、前記第１の端末は、前記第１のメッセージを前記第３の端末に中継しないことを決定することを含んでよい。
【００６８】
理解すべきことは、前記第１の地理的位置条件は、ネットワークデバイスによって設定されるものであってもよく、前記第２の端末によって設定されるものであってもよく、又は、前記第１の端末に予め設定されるものであってもよく、本願の実施例はこれについて限定しない。前記第１の地理的位置条件は特定の地理的位置範囲であってもよく、相対的な地理的位置条件、例えば、前記第１の端末が前記第２の端末に対する位置、又は前記第１の端末が前記第３の端末に対する位置などであってもよく、本願の実施例はこれについて限定しない。
【００６９】
例えば、前記第１の端末は、第１の端末の現在位置する地理的位置がある特定の地理的位置範囲内にある場合、前記第３の端末に前記第１のメッセージを中継することを決定し、そうでない場合、前記第３の端末に前記第１のメッセージを中継しないことを決定することができ、又は、前記第１の端末の絶対的な地理的位置がある特定の地理的位置範囲内にない場合、前記第３の端末に前記第１のメッセージを中継することを決定し、そうでない場合、前記第３の端末に前記第１のメッセージを中継しないことを決定することができる。
【００７０】
また、例えば、前記第１の端末は、前記第１の端末の前記第２の端末に対する相対的な地理的位置がある特定の範囲内にある場合、前記第３の端末に前記第１のメッセージを中継することを決定し、そうでない場合、前記第３の端末に前記第１のメッセージを中継しないことを決定することができ、又は、前記第１の端末の前記第２の端末に対する相対的な地理的位置がある特定の範囲内にない場合、前記第３の端末に前記第１のメッセージを中継することを決定し、そうでない場合、前記第３の端末に前記第１のメッセージを中継しないことを決定してもよい。
【００７１】
さらに、例えば、前記第１の端末は、前記第１の端末の前記第３の端末に対する相対的な地理的位置がある特定の範囲内にある場合、前記第３の端末に前記第１のメッセージを中継することを決定し、そうでない場合、前記第３の端末に前記第１のメッセージを中継しないことを決定してもよく、又は、前記第１の端末の前記第３の端末に対する相対的な地理的位置がある特定の範囲内にない場合、前記第３の端末に前記第１のメッセージを中継することを決定し、そうでない場合、前記第３の端末に前記第１のメッセージを中継しないことを決定してもよい。
【００７２】
選択的に、別の実施例として、前記第１の端末は、前記第１の端末の地理的位置情報、前記第２の端末の地理的位置情報、及び前記第３の端末の地理的位置情報のうち少なくとも１項に基づき、前記第１のメッセージを前記第３の端末に中継するか否かを決定することは、
前記第２の端末の地理的位置情報が前記第２の地理的位置条件を満たす場合、前記第１の端末は、前記第１のメッセージを前記第３の端末に中継することを決定すること、又は
前記第２の端末の地理的位置情報が前記第２の地理的位置条件を満たさない場合、前記第１の端末は、前記第１のメッセージを前記第３の端末に中継しないことを決定することを含んでよい。
【００７３】
前述した第１の地理的位置条件と同様に、前記第２の地理的位置条件はネットワークデバイスによって設定されるものであってもよく、前記第２の端末によって設定されるものであってもよく、又は、前記第１の端末に予め設定されるものであってもよく、前記第２の地理的位置条件は特定の地理的位置範囲であってもよく、相対的な地理的位置条件、例えば、前記第２の端末の前記第１の端末に対する位置などであってもよい。
【００７４】
例えば、前記第１の端末は、第２の端末の現在位置する地理的位置がある特定の地理的位置範囲内にある場合、前記第３の端末に前記第１のメッセージを中継することを決定し、そうでない場合、前記第３の端末に前記第１のメッセージを中継しないことを決定してもよく、又は、前記第２の端末の現在位置する地理的位置がある特定の地理的位置範囲内にない場合、前記第３の端末に前記第１のメッセージを中継することを決定し、そうでない場合、前記第３の端末に前記第１のメッセージを中継しないことを決定してもよい。
【００７５】
また、例えば、前記第１の端末は、第２の端末の前記第１の端末に対する相対的な地理的位置がある特定の範囲内にある場合、前記第３の端末に前記第１のメッセージを中継することを決定し、そうでない場合、前記第３の端末に前記第１のメッセージを中継しないことを決定してもよく、又は、前記第２の端末の前記第１の端末に対する相対的な地理的位置がある特定の範囲内にない場合、前記第３の端末に前記第１のメッセージを中継することを決定し、そうでない場合、前記第３の端末に前記第１のメッセージを中継しないことを決定してもよい。
【００７６】
選択的に、さらに別の実施例として、前記第１の端末は、前記第１の端末の地理的位置情報、前記第２の端末の地理的位置情報、及び前記第３の端末の地理的位置情報のうち少なくとも１項に基づき、前記第１のメッセージを前記第３の端末に中継するか否かを決定することは、
前記第３の端末の地理的位置情報が前記第３の地理的位置条件を満たす場合、前記第１の端末は、前記第１のメッセージを前記第３の端末に中継することを決定すること、又は
前記第３の端末の地理的位置情報が前記第３の地理的位置条件を満たさない場合、前記第１の端末は、前記第１のメッセージを前記第３の端末に中継しないことを決定することを含んでよい。
【００７７】
前述した第１の地理的位置条件及び第２の地理的位置条件と同様に、前記第３の地理的位置条件はネットワークデバイスによって設定されるものであってもよく、前記第２の端末によって設定されるものであってもよく、又は、前記第１の端末に予め設定されるものであってもよく、前記第３の地理的位置条件は特定の地理的位置範囲であってもよく、相対的な地理的位置条件、例えば、前記第３の端末の前記第１の端末に対する位置などであってもよい。
【００７８】
例えば、前記第１の端末は、第３の端末の現在位置する地理的位置がある特定の地理的位置範囲内にある場合、前記第３の端末に前記第１のメッセージを中継することを決定し、そうでない場合、前記第３の端末に前記第１のメッセージを中継しないことを決定してもよく、又は、前記第３の端末の現在位置する地理的位置がある特定の地理的位置範囲内にない場合、前記第３の端末に前記第１のメッセージを中継することを決定し、そうでない場合、前記第３の端末に前記第１のメッセージを中継しないことを決定してもよい。
【００７９】
また、例えば、前記第１の端末は、前記第３の端末の前記第１の端末に対する相対的な地理的位置がある特定の範囲内にある場合、前記第３の端末に前記第１のメッセージを中継することを決定し、そうでない場合、前記第３の端末に前記第１のメッセージを中継しないことを決定してもよく、又は、ある特定の範囲内にない場合、前記第３の端末に前記第１のメッセージを中継することを決定し、そうでない場合、前記第３の端末に前記第１のメッセージを中継しないことを決定してもよい。
【００８０】
選択的に、本願の実施例では、前記第１の端末は、第１の端末、第２の端末及び第３の端末のうち少なくとも２つの端末デバイスの地理的位置情報をまとめて、前記第３の端末に前記第１のメッセージを中継するか否かを決定することができ、具体的な実施形態は同様であり、ここでは説明を省略する。
【００８１】
選択的に、本願の実施例では、前記指示情報は、中継端末のセットの情報、送信端末のセットの情報、及び受信端末のセットの情報のうち少なくとも１項を指示するために用いられ、
ここで、前記中継端末のセットは受信したメッセージを中継伝送できる端末デバイスのセットを指示するために用いられ、前記送信端末のセットは送信するメッセージを中継伝送する必要がある端末デバイスのセットを指示するために用いられ、前記受信端末のセットは中継伝送を介してメッセージを受信する必要がある端末デバイスのセットを指示するために用いられる。
【００８２】
この場合、Ｓ２２０は、
前記第１の端末は前記中継端末のセットの情報、前記送信端末のセットの情報及び前記受信端末のセットの情報のうち少なくとも１項に基づき、前記第１のメッセージを前記第３の端末に中継するか否かを決定することを含んでよい。
【００８３】
選択的に、１つの実施例として、前記第１の端末は前記中継端末のセットの情報、前記送信端末のセットの情報及び前記受信端末のセットの情報のうち少なくとも１項に基づき、前記第１のメッセージを前記第３の端末に中継するか否かを決定することは、
前記第１の端末が前記中継端末のセットに属する場合、前記第１の端末は、前記第１のメッセージを前記第３の端末に中継することを決定すること、又は
前記第１の端末が前記中継端末のセットに属しない場合、前記第１の端末は、前記第１のメッセージを前記第３の端末に中継しないことを決定することを含む。
【００８４】
つまり、前記第１の端末（すなわち中継端末）が特定の端末デバイスのセットに属する場合、前記第１の端末は第１のメッセージを前記第３の端末に中継し、例えば、当該特定の端末デバイスのセットは各ユーザグループにおけるクラスタヘッド（ｃｌｕｓｔｅｒ  ｈｅａｄ）若しくはクラスタエンドであってもよく、又は一定の条件を満たす１つのグループの端末デバイスであってもよく、本願の実施例はこれについて限定しない。
【００８５】
理解すべきことは、当該中継端末のセットはネットワークデバイスによって前記第１の端末に設定されるものであってもよく、又は第２の端末によって第１の端末に設定されるものであってもよく、本願の実施例はこれについて限定せず、当該指示情報は１つのグループの端末デバイスの識別情報を指示するために用いられてもよく、当該中継端末のセットにおける端末デバイスのみが中継端末として用いられ、受信したメッセージを当該メッセージの目標端末に中継する。
【００８６】
選択的に、別の実施例として、前記第１の端末は前記中継端末のセットの情報、前記送信端末のセットの情報及び前記受信端末のセットの情報のうち少なくとも１項に基づき、前記第１のメッセージを前記第３の端末に中継するか否かを決定することは、
前記第２の端末が前記送信端末のセットに属する場合、前記第１の端末は、前記第１のメッセージを前記第３の端末に中継することを決定すること、又は
前記第２の端末が前記送信端末のセットに属しない場合、前記第１の端末は、前記第１のメッセージを前記第３の端末に中継しないことを決定することを含む。
【００８７】
つまり、前記第２の端末（すなわち送信端末）が特定の端末デバイスのセットに属する場合のみ、前記第１の端末は第１のメッセージを前記第３の端末に中継し、つまり、前記第１の端末は、特定の端末デバイスのセットにおける端末デバイスから送信されたメッセージのみを中継する。選択的に、当該特定の端末デバイスのセットは各ユーザグループにおけるクラスタヘッド（ｃｌｕｓｔｅｒ  ｈｅａｄ）若しくはクラスタエンドであってもよく、又は一定の条件を満たす１つのグループの端末デバイスであってもよく、本願の実施例はこれについて限定しない。
【００８８】
理解すべきことは、当該送信端末のセットはネットワークデバイスによって前記第１の端末に設定されるものであってもよく、又は前記第２の端末によって前記第１の端末に設定されるものであってもよく、当該指示情報は１つのグループの端末デバイスの識別情報を指示するために用いられてもよく、当該送信端末のセットにおける端末デバイスから送信されたメッセージのみが、中継端末を介して、送信されたメッセージを当該メッセージの目標端末に中継することができる。
【００８９】
選択的に、さらに別の実施例として、前記第１の端末は指示情報に基づき、第１のメッセージを前記第３の端末に中継するか否かを決定することは、
前記第３の端末が前記受信端末のセットに属する場合、前記第１の端末は、前記第１のメッセージを前記第３の端末に中継することを決定すること、又は
前記第３の端末が前記受信端末のセットに属しない場合、前記第１の端末は、前記第１のメッセージを前記第３の端末に中継しないことを決定することを含む。
【００９０】
つまり、前記第３の端末（すなわち受信端末）が特定の端末デバイスのセットに属する場合のみ、前記第１の端末は前記第１のメッセージを前記第３の端末に中継し、つまり、前記第１の端末は、特定の端末デバイスのセットに送信したメッセージのみを中継する。選択的に、当該特定の端末デバイスのセットは各ユーザグループにおけるクラスタヘッド（ｃｌｕｓｔｅｒ  ｈｅａｄ）若しくはクラスタエンドであってもよく、又は一定の条件を満たす１つのグループの端末デバイスであってもよく、本願の実施例はこれについて限定しない。
【００９１】
理解すべきことは、当該受信端末のセットはネットワークデバイスによって前記第１の端末に設定されるものであってもよく、又は前記第２の端末によって前記第１の端末に設定されるものであってもよく、当該指示情報は１つのグループの端末デバイスの識別情報を指示するために用いられてもよく、当該送信端末のセットにおける端末デバイスに送信されたメッセージのみが、中継端末を介して中継伝送することができる（必要がある）。
【００９２】
選択的に、本願の実施例では、前記第１の端末は第１の端末、第２の端末及び第３の端末のうち少なくとも２つの端末デバイスと対応する端末デバイスのセットとの間の関係をまとめて、前記第３の端末に前記第１のメッセージを中継するか否かを決定することができ、具体的な実施形態は同様であり、ここでは説明を省略する。
【００９３】
選択的に、本願の実施例では、前記指示情報は信号品質情報を指示するために用いられ、１つの具体的な実施例では、前記信号品質情報は、前記第１の端末と前記第２の端末との間の信号品質情報及び／又は前記第１の端末と前記第３の端末との間の信号品質情報を含み、この場合、Ｓ２２０は、
前記第１の端末は前記第１の端末と前記第２の端末との間の信号品質情報及び／又は前記第１の端末と前記第３の端末との間の信号品質情報に基づき、前記第１のメッセージを前記第３の端末に中継するか否かを決定することを含んでよい。
【００９４】
つまり、前記端末デバイスは前記第１の端末と前記第２の端末との間の信号品質情報及び／又は前記第１の端末と前記第３の端末との間の信号品質情報を測定し、その後測定した上記情報品質情報に基づき、前記第１のメッセージを前記第３の端末に中継するか否かを決定する。
【００９５】
選択的に、１つの実施例として、前記第１の端末は前記第１の端末と前記第２の端末との間の信号品質情報及び／又は前記第１の端末と前記第３の端末との間の信号品質情報に基づき、前記第１のメッセージを前記第３の端末に中継するか否かを決定することは、
前記第１の端末と前記第２の端末との間の信号品質が第１の信号品質条件を満たす場合、前記第１の端末は、前記第１のメッセージを前記第３の端末に中継することを決定すること、又は
前記第１の端末と前記第２の端末との間の信号品質が前記第１の信号品質条件を満たさない場合、前記第１の端末は、前記第１のメッセージを前記第３の端末に中継しないことを決定することを含む。
【００９６】
なお、前記第１の信号品質条件は特定の信号品質閾値、又は信号品質範囲などであってもよく、本願の実施例はこれについて限定しない。例えば、前記第１の端末は、前記第１の端末と前記第２の端末との間の信号品質が特定の信号品質閾値より高い又は低い場合、前記第１のメッセージを前記第３の端末に中継することを決定し、そうでない場合、前記第１のメッセージを前記第３の端末に中継しないことを決定してもよく、ここで、当該第１の信号品質条件はネットワークデバイスによって前記第１の端末に設定されるものであってもよく、又は前記第２の端末デバイスによって前記第１の端末に設定されるものであってもよく、本願の実施例はこれについて限定しない。
【００９７】
選択的に、別の実施例として、前記第１の端末は前記第１の端末と前記第２の端末との間の信号品質情報及び／又は前記第１の端末と前記第３の端末との間の信号品質情報に基づき、前記第１のメッセージを前記第３の端末に中継するか否かを決定することは、
前記第１の端末と前記第３の端末との間の信号品質が第２の信号品質条件を満たす場合、前記第１の端末は、前記第１のメッセージを前記第３の端末に中継することを決定すること、又は
前記第１の端末と前記第３の端末との間の信号品質が前記第２の信号品質条件を満たさない場合、前記第１の端末は、前記第１のメッセージを前記第３の端末に中継しないことを決定することを含む。
【００９８】
なお、前記第１の信号品質条件と同様に、前記第２の信号品質条件は特定の信号品質閾値、又は信号品質範囲などであってもよく、本願の実施例はこれについて限定しない。例えば、前記第１の端末は、前記第１の端末と前記第３の端末との間の信号品質が特定の信号品質閾値より高い又は低い場合、前記第１のメッセージを前記第３の端末に中継することを決定してもよく、当該第２の信号品質条件はネットワークデバイスによって設定されるものであってもよく、又は第２の端末デバイスによって設定されるものであってもよく、本願の実施例はこれについて限定しない。
【００９９】
選択的に、本願の実施例では、前記第１の端末は前記第１の端末と前記第２の端末との間の信号品質情報、及び前記第１の端末と前記第３の端末との間の信号品質情報に基づき、第１のメッセージを前記第３の端末に中継するか否かを決定してもよい。例えば、前記第１の端末は、前記第１の端末と前記第２の端末との間の信号品質情報が第１の信号品質条件を満たし、且つ前記第１の端末と前記第３の端末との間の信号品質情報が第２の信号品質条件を満たす場合、前記第１のメッセージを前記第３の端末に中継することを決定してもよく、又は前記２つの条件のうちのいずれかの条件を満たさない場合、前記第１のメッセージを前記第３の端末に中継しないことを決定してもよく、本願の実施例はこれについて限定しない。
【０１００】
選択的に、本願の実施例では、前記指示情報はさらに特定のリソースプールのセットを指示するために用いられてもよく、この場合、前記Ｓ２２０は、
前記第１のメッセージの送信リソースプールが前記特定のリソースプールのセットに属する場合、前記第１の端末は、前記第１のメッセージを前記第３の端末に中継することを決定すること、又は
前記第１のメッセージの送信リソースプールが前記特定のリソースプールのセットに属しない場合、前記第１の端末は、前記第１のメッセージを前記第３の端末に中継しないことを決定することを含んでよい。
【０１０１】
つまり、特定のリソースプールを介して送信されたメッセージのみが中継端末を介して当該メッセージを中継することができ、こうすると、前記第１の端末は当該第１のメッセージを受信した後、当該第１のメッセージの送信リソースプールが当該特定のリソースプールのセットに属するか否かを判断することができ、属すれば、当該第１のメッセージを中継することを決定し、そうでなければ、当該第１のメッセージを中継しないことを決定する。又は、特定のリソースプール以外の他のリソースプールから送信されたメッセージのみが中継端末を介して当該メッセージを中継してもよく、本願の実施例はこれについて限定しない。
【０１０２】
選択的に、本願の実施例では、前記指示情報はさらにメッセージの中継方向を指示するために用いられてもよく、この場合、Ｓ２２０は、
前記第１の端末は前記第１のメッセージの中継方向に基づき、前記第１のメッセージを前記第３の端末に中継するか否かを決定することを含んでよい。
【０１０３】
選択的に、１つの具体的な実施例では、前記第１の端末は前記第１のメッセージの中継方向に基づき、前記第１のメッセージを前記第３の端末に中継するか否かを決定することは、
前記第１のメッセージの中継方向が第１の方向である場合、前記第１の端末は、前記第１のメッセージを前記第３の端末に中継することを決定すること、又は
前記第１のメッセージの中継方向が前記第１の方向でない場合、前記第１の端末は、前記第１のメッセージを前記第３の端末に中継しないことを決定することを含む。
【０１０４】
ここで、前記第１の方向はネットワークデバイスによって前記第１の端末に設定されるもの、又は前記第２の端末によって前記第１の端末に設定されるものであり、前記第１の端末は当該第１のメッセージを受信した後、第１の端末と第２の端末との相対位置、及び／又は第１の端末と第３の端末との相対位置に基づき、前記第１のメッセージの中継方向を決定することができ、更に、当該中継方向が前記第１の方向であるか否かを決定することができ、そうであれば、当該第１のメッセージを中継することを決定し、そうでなければ、当該第１のメッセージを中継しないことを決定する。又は、第１のメッセージの中継方向が前記第１の方向でない場合、前記第１のメッセージを中継することを決定し、そうでなければ、前記第１のメッセージを中継しないことを決定してもよい。
【０１０５】
選択的に、本願の実施例では、前記第１の端末は地理的位置情報、信号品質情報、送信端末、中継端末及び受信端末が属する端末デバイスのセットの情報、リソースプール情報、中継方向情報のうちの少なくとも２項をまとめて考慮して第３の端末に当該第１のメッセージを中継するか否かを決定することができ、具体的な実施形態は前述した実施例における関連説明を参照してもよく、ここでは説明を省略する。
【０１０６】
選択的に、本願の実施例では、前記指示情報はさらに中継伝送の最大回数を指示するために用いられ、この場合、前記方法２００は、
前記第１のメッセージの中継回数が前記最大回数に達した場合、前記第１の端末は前記第１のメッセージの前記第３の端末への中継伝送を停止することをさらに含んでよい。
【０１０７】
選択的に、当該指示情報はカウンタであってもよく、前記第１の端末は前記第１のメッセージを中継伝送するごとに、前記第１のメッセージに含まれる前記指示情報によって指示される中継伝送の最大回数を１つ増加又は減少させて、変更された前記第１のメッセージを前記第３の端末に中継し、当該カウンタのカウント値が所定値に達すると、当該第１のメッセージの中継を停止する。例えば、最初にカウンタのカウント値がゼロであり、カウンタのカウント値が最大回数になったときに、当該第１のメッセージの中継を停止し、又は、最初に当該カウンタのカウント値が最大回数であり、カウンタのカウント値がゼロになったときに、当該第１のメッセージの中継を停止する。
【０１０８】
従って、本願の実施例に係るデータの伝送方法において、中継端末は、地理的位置情報、信号品質情報、送信端末、中継端末及び受信端末が属する端末デバイスのセットの情報、リソースプール情報、中継方向情報のうち少なくとも１項に基づき、当該第１のメッセージを第３の端末に中継するか否かを決定することができ、それにより柔軟な中継伝送を実施できる。
【０１０９】
上記説明は図２を参照して、端末デバイスの観点から本願の実施例によるデータの伝送方法について詳細に説明し、以下図３を参照して、ネットワークデバイスの観点から本願の他の実施例によるデータの伝送方法について詳細に説明する。理解すべきことは、ネットワークデバイス側の説明は端末デバイス側の説明と互いに対応し、同様の説明は上記説明を参照することができ、重複を避けるため、ここでは説明を省略する。
【０１１０】
図３は本願の他の実施例によるデータの伝送方法３００を示す概略フローチャートであり、当該方法３００は、図１に示される車両のインターネットシステムにおけるネットワークデバイスによって実行可能であり、図３に示すように、当該方法３００は、
ネットワークデバイスは、第１の端末が第２の端末から送信された第１のメッセージを受信した時に、前記第１のメッセージを第３の端末に中継するか否かを決定するための指示情報を決定するＳ３１０と、
前記ネットワークデバイスは前記第１の端末に前記指示情報を送信するＳ３２０とを含む。
【０１１１】
選択的に、いくつかの実施例では、前記指示情報は地理的位置条件を指示するために用いられる。
【０１１２】
選択的に、いくつかの実施例では、前記地理的位置条件は前記第１の端末の地理的位置情報に対応する第１の地理的位置条件、前記第２の端末の地理的位置情報に対応する第２の地理的位置条件及び前記第３の端末の地理的位置情報に対応する第３の地理的位置条件のうち少なくとも１項を含む。
【０１１３】
選択的に、いくつかの実施例では、前記地理的位置情報は、絶対的な地理的位置情報又は相対的な地理的位置情報である。
【０１１４】
選択的に、いくつかの実施例では、前記指示情報は、中継端末のセットの情報、送信端末のセットの情報、及び受信端末のセットの情報のうち少なくとも１項を指示するために用いられ、
ここで、前記中継端末のセットは受信したメッセージを中継伝送できる端末デバイスのセットを指示するために用いられ、前記送信端末のセットは送信するメッセージを中継伝送する必要がある端末デバイスのセットを指示するために用いられ、前記受信端末のセットは中継伝送を介してメッセージを受信する必要がある端末デバイスのセットを指示するために用いられる。
【０１１５】
選択的に、いくつかの実施例では、前記指示情報は信号品質条件を指示するために用いられる。
【０１１６】
選択的に、いくつかの実施例では、前記信号品質条件は前記第１の端末と前記第２の端末との間の信号品質情報に対応する第１の信号品質条件及び／又は前記第１の端末と前記第３の端末との間の信号品質情報に対応する第２の信号品質条件を含む。
【０１１７】
選択的に、いくつかの実施例では、前記指示情報は特定のリソースプールのセットを指示するために用いられる。
【０１１８】
選択的に、いくつかの実施例では、前記指示情報はメッセージの中継方向を指示するために用いられる。
【０１１９】
選択的に、いくつかの実施例では、前記指示情報はさらに中継伝送の最大回数を指示するために用いられる。
【０１２０】
選択的に、本願の実施例では、前記方法３００における内容は第２の端末、すなわち送信端末によって実行されてもよく、簡潔にするため、ここでは説明を省略する。
【０１２１】
上記説明は図２及び図３を参照して、本願の方法の実施例を詳細に説明し、以下は図４から図７を参照して、本願の装置の実施例を詳細に説明し、理解すべきことは、装置の実施例は方法の実施例と互いに対応し、同様の説明は方法の実施例を参照することができる。
【０１２２】
図４は本願の実施例による端末デバイス４００を示す概略ブロック図である。図４に示すように、当該端末デバイス４００は、
第２の端末から送信された第３の端末を目標端末とする第１のメッセージを受信するための通信モジュール４１０と、
指示情報に基づき、第１のメッセージを前記第３の端末に中継するか否かを決定するための決定モジュール４２０とを含む。
【０１２３】
選択的に、いくつかの実施例では、前記指示情報は地理的位置情報を指示するために用いられる。
【０１２４】
選択的に、いくつかの実施例では、前記地理的位置情報は前記端末デバイスの地理的位置情報、前記第２の端末の地理的位置情報及び前記第３の端末の地理的位置情報のうち少なくとも１項を含む。
【０１２５】
選択的に、いくつかの実施例では、前記決定モジュール４２０は具体的に、
前記端末デバイスの地理的位置情報が前記第１の地理的位置条件を満たす場合、前記第１のメッセージを前記第３の端末に中継することを決定する、又は
前記端末デバイスの地理的位置情報が前記第１の地理的位置条件を満たさない場合、前記第１のメッセージを前記第３の端末に中継しないことを決定するために用いられる。
【０１２６】
選択的に、いくつかの実施例では、前記決定モジュール４２０は、具体的に、
前記第２の端末の地理的位置情報が前記第２の地理的位置条件を満たす場合、前記第１のメッセージを前記第３の端末に中継することを決定する、又は
前記第２の端末の地理的位置情報が前記第２の地理的位置条件を満たさない場合、前記第１のメッセージを前記第３の端末に中継しないことを決定するために用いられる。
【０１２７】
選択的に、いくつかの実施例では、前記決定モジュール４２０は、具体的に、
前記第３の端末の地理的位置情報が前記第３の地理的位置条件を満たす場合、前記第１のメッセージを前記第３の端末に中継することを決定する、又は
前記第３の端末の地理的位置情報が前記第３の地理的位置条件を満たさない場合、前記第１のメッセージを前記第３の端末に中継しないことを決定するために用いられる。
【０１２８】
選択的に、いくつかの実施例では、前記第１の地理的位置条件、前記第２の地理的位置条件及び前記第３の地理的位置条件はネットワークデバイスによって設定されるもの、又は前記端末デバイスに予め設定されるものである。
【０１２９】
選択的に、いくつかの実施例では、前記地理的位置情報は、絶対的な地理的位置情報又は相対的な地理的位置情報である。
【０１３０】
選択的に、いくつかの実施例では、前記指示情報は、中継端末のセットの情報、送信端末のセットの情報、及び受信端末のセットの情報のうち少なくとも１項を指示するために用いられ、
ここで、前記中継端末のセットは受信したメッセージを中継伝送できる端末デバイスのセットを指示するために用いられ、前記送信端末のセットは送信するメッセージを中継伝送する必要がある端末デバイスのセットを指示するために用いられ、前記受信端末のセットは中継伝送を介してメッセージを受信する必要がある端末デバイスのセットを指示するために用いられる。
【０１３１】
選択的に、いくつかの実施例では、前記決定モジュール４２０は具体的に、
前記端末デバイスが前記中継端末のセットに属する場合、前記第１のメッセージを前記第３の端末に中継することを決定する、又は
前記端末デバイスが前記中継端末のセットに属しない場合、前記第１のメッセージを前記第３の端末に中継しないことを決定するために用いられる。
【０１３２】
選択的に、いくつかの実施例では、前記決定モジュール４２０は具体的に、
前記第２の端末が前記送信端末のセットに属する場合、前記第１のメッセージを前記第３の端末に中継することを決定する、又は
前記第２の端末が前記送信端末のセットに属しない場合、前記第１のメッセージを前記第３の端末に中継しないことを決定するために用いられる。
【０１３３】
選択的に、いくつかの実施例では、前記決定モジュール４２０は具体的に、
前記第３の端末が前記受信端末のセットに属する場合、前記第１のメッセージを前記第３の端末に中継することを決定する、又は
前記第３の端末が前記受信端末のセットに属しない場合、前記第１のメッセージを前記第３の端末に中継しないことを決定するために用いられる。
【０１３４】
選択的に、いくつかの実施例では、前記中継端末のセットの情報、前記送信端末のセットの情報、及び前記受信端末のセットの情報は、ネットワークデバイスによって設定されるもの、又は前記第２の端末によって設定されるものである。
【０１３５】
選択的に、いくつかの実施例では、前記中継端末のセットの情報、前記送信端末のセットの情報、及び前記受信端末のセットの情報は、端末デバイスの識別情報である。
【０１３６】
選択的に、いくつかの実施例では、前記指示情報は信号品質情報を指示するために用いられる。
【０１３７】
選択的に、いくつかの実施例では、前記信号品質情報は、前記端末デバイスと前記第２の端末との間の信号品質情報及び／又は前記端末デバイスと前記第３の端末との間の信号品質情報を含む。
【０１３８】
選択的に、いくつかの実施例では、前記決定モジュール４２０は具体的に、
前記端末デバイスと前記第２の端末との間の信号品質が第１の信号品質条件を満たす場合、前記第１のメッセージを前記第３の端末に中継することを決定する、又は
前記端末デバイスと前記第２の端末との間の信号品質が前記第１の信号品質条件を満たさない場合、前記第１のメッセージを前記第３の端末に中継しないことを決定するために用いられる。
【０１３９】
選択的に、いくつかの実施例では、前記決定モジュール４２０は具体的に、
前記端末デバイスと前記第３の端末との間の信号品質が第２の信号品質条件を満たす場合、前記第１のメッセージを前記第３の端末に中継することを決定する、又は
前記端末デバイスと前記第３の端末との間の信号品質が前記第２の信号品質条件を満たさない場合、前記第１のメッセージを前記第３の端末に中継しないことを決定するために用いられる。
【０１４０】
選択的に、いくつかの実施例では、前記第１の信号品質条件は第１の信号品質閾値であり、前記第２の信号品質条件は第２の信号品質閾値である。
【０１４１】
選択的に、いくつかの実施例では、前記第１の信号品質条件及び前記第２の信号品質条件はネットワークデバイスによって設定されるもの、又は前記端末デバイスに予め設定されるものである。
【０１４２】
選択的に、いくつかの実施例では、前記指示情報は特定のリソースプールのセットを指示するために用いられる。
【０１４３】
選択的に、いくつかの実施例では、前記決定モジュール４２０は具体的に、
前記第１のメッセージの送信リソースプールが前記特定リソースプールのセットに属する場合、前記第１のメッセージを前記第３の端末に中継することを決定する、又は
前記第１のメッセージの送信リソースプールが前記特定リソースプールのセットに属しない場合、前記第１のメッセージを前記第３の端末に中継しないことを決定するために用いられる。
【０１４４】
選択的に、いくつかの実施例では、前記指示情報はメッセージの中継方向を指示するために用いられる。
【０１４５】
選択的に、いくつかの実施例では、前記決定モジュール４２０は具体的に、
前記第１のメッセージの中継方向が第１の方向である場合、前記第１のメッセージを前記第３の端末に中継することを決定する、又は
前記第１のメッセージの中継方向が前記第１の方向でない場合、前記第１のメッセージを前記第３の端末に中継しないことを決定するために用いられる。
【０１４６】
選択的に、いくつかの実施例では、前記第１の方向は、ネットワークデバイスによって設定されるもの、又は前記第２の端末によって設定されるものである。
【０１４７】
選択的に、いくつかの実施例では、前記指示情報はさらに中継伝送の最大回数を指示するために用いられ、前記通信モジュール４１０はさらに、
前記第１のメッセージの中継回数が前記最大回数に達した場合、前記第１のメッセージの前記第３の端末への中継伝送を停止するために用いられる。
【０１４８】
選択的に、いくつかの実施例では、前記端末デバイスは、前記第１のメッセージを受信した後、前記第１のメッセージに含まれる前記指示情報によって指示される中継伝送の最大回数を１つ増加又は減少させて、変更された前記第１のメッセージを前記第３の端末に中継する。
【０１４９】
選択的に、いくつかの実施例では、前記通信モジュール４１０はさらに、
ネットワークデバイスから送信された前記指示情報を受信するために用いられる。
【０１５０】
選択的に、いくつかの実施例では、前記通信モジュール４１０はさらに、
第２の端末から送信された前記指示情報を受信するために用いられる。
【０１５１】
選択的に、いくつかの実施例では、前記第２の端末は物理レイヤメッセージ、メディアアクセス制御ＭＡＣメッセージ、無線リンク制御ＲＬＣメッセージ、パケットデータコンバージェンスプロトコルＰＤＣＰメッセージ、アダプテーションレイヤメッセージ、又はＰＣ５−Ｓメッセージによって前記指示情報を送信する。
【０１５２】
理解すべきことは、本願の実施例による端末デバイス４００は本願の方法の実施例における第１の端末に対応し、且つ端末デバイス４００における各ユニットの上記及び他の操作及び／又は機能はそれぞれ図２に示す方法２００における第１の端末の対応するプロセスを実施するためのものであり、簡潔にするため、ここでは説明を省略する。
【０１５３】
図５は本願の実施例によるネットワークデバイスを示す概略ブロック図である。図５のネットワークデバイス５００は、
第１の端末が第２の端末から送信された第１のメッセージを受信した時に、前記第１のメッセージを第３の端末に中継するか否かを決定するための指示情報を決定するために用いられる決定モジュール５１０と、
前記第１の端末に前記指示情報を送信するために用いられる通信モジュール５２０とを含む。
【０１５４】
選択的に、いくつかの実施例では、前記指示情報は地理的位置条件を指示するために用いられる。
【０１５５】
選択的に、いくつかの実施例では、前記地理的位置条件は前記第１の端末の地理的位置情報に対応する第１の地理的位置条件、前記第２の端末の地理的位置情報に対応する第２の地理的位置条件及び前記第３の端末の地理的位置情報に対応する第３の地理的位置条件のうち少なくとも１項を含む。
【０１５６】
選択的に、いくつかの実施例では、前記地理的位置情報は、絶対的な地理的位置情報又は相対的な地理的位置情報である。
【０１５７】
選択的に、いくつかの実施例では、前記指示情報は、中継端末のセットの情報、送信端末のセットの情報、及び受信端末のセットの情報のうち少なくとも１項を指示するために用いられ、
ここで、前記中継端末のセットは受信したメッセージを中継伝送できる端末デバイスのセットを指示するために用いられ、前記送信端末のセットは送信するメッセージを中継伝送する必要がある端末デバイスのセットを指示するために用いられ、前記受信端末のセットは中継伝送を介してメッセージを受信する必要がある端末デバイスのセットを指示するために用いられる。
【０１５８】
選択的に、いくつかの実施例では、前記指示情報は信号品質条件を指示するために用いられる。
【０１５９】
選択的に、いくつかの実施例では、前記信号品質条件は前記第１の端末と前記第２の端末との間の信号品質情報に対応する第１の信号品質条件及び／又は前記第１の端末と前記第３の端末との間の信号品質情報に対応する第２の信号品質条件を含む。
【０１６０】
選択的に、いくつかの実施例では、前記指示情報は特定のリソースプールのセットを指示するために用いられる。
【０１６１】
選択的に、いくつかの実施例では、前記指示情報はメッセージの中継方向を指示するために用いられる。
【０１６２】
選択的に、いくつかの実施例では、前記指示情報はさらに中継伝送の最大回数を指示するために用いられる。
【０１６３】
具体的には、当該ネットワークデバイス５００は上記方法３００に記載のネットワークデバイスに対応することができ（例えば、配置でき、又はそれ自体である）、且つ、当該ネットワークデバイス５００における各モジュール又はユニットはそれぞれ上記方法３００におけるネットワークデバイスに実行された各動作又は処理プロセスを実行するために用いられ、ここで、重複を避けるために、その詳細な説明を省略する。
【０１６４】
図６に示すように、本願の実施例はデータ伝送デバイス６００をさらに提供し、前記デバイス６００は図４に示される端末デバイス４００であってもよく、それは図２に示される方法２００に対応する第１の端末の内容を実行するために用いることができる。前記端末デバイス６００は入力インタフェース６１０と、出力インタフェース６２０と、プロセッサ６３０と、メモリ６４０とを含み、前記入力インタフェース６１０と、出力インタフェース６２０と、プロセッサ６３０と、メモリ６４０とはバスシステムを介して接続されることができる。前記メモリ６４０はプログラム、コマンド又はコードを含めて記憶するために用いられる。前記プロセッサ６３０は、入力インタフェース６１０の信号受信を制御し、出力インタフェース６２０の信号送信を制御し、前述した方法の実施例における操作を完了するように、前記メモリ６４０におけるプログラム、コマンド又はコードを実行するために用いられる。
【０１６５】
理解すべきことは、本願の実施例では、前記プロセッサ６３０は中央処理ユニット（Ｃｅｎｔｒａｌ  Ｐｒｏｃｅｓｓｉｎｇ  Ｕｎｉｔ、略称「ＣＰＵ」）であってもよく、前記プロセッサ６３０はさらに他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサは、マイクロプロセッサであってもよく、又は前記プロセッサは、任意の通常のプロセッサなどであってもよい。
【０１６６】
前記メモリ６４０は読み取り専用メモリ及びランダムアクセスメモリを含み、コマンド及びデータをプロセッサ６３０に提供するものとしてもよい。メモリ６４０の一部は、不揮発性ランダムアクセスメモリをさらに含んでもよい。例えば、メモリ６４０は、デバイスタイプの情報をさらに記憶してもよい。
【０１６７】
実施プロセスにおいて、上記方法の各内容はプロセッサ６３０におけるハードウェアの集積論理回路又はソフトウェア形態のコマンドによって完了できる。本願の実施例に関連して開示される方法の内容は、ハードウェアプロセッサによって実行及び完了されるもの、又はプロセッサにおけるハードウェア及びソフトウェアモジュールの組み合わせによって実行及び完了されるものとして直接具体化されてもよい。ソフトウェアモジュールは、ランダムアクセスメモリ、フラッシュメモリ、読み取り専用メモリ、プログラマブル読み取り専用メモリ、又は電気的に消去可能なプログラマブルメモリ、及びレジスタなど、当技術分野での成熟した記憶媒体に配置してもよい。前記記憶媒体はメモリ６４０に配置され、プロセッサ６３０はメモリ６４０における情報を読み取り、そのハードウェアと組み合わせて上記方法の内容を完了する。重複を避けるために、ここでは詳細な説明を省略する。
【０１６８】
１つの具体的な実施形態では、図４の端末デバイス４００に含まれる決定モジュール４２０は、図６のプロセッサ６３０で実施されてもよく、図４の端末デバイス４００に含まれる通信モジュール４１０は、図６の前記入力インタフェース６１０及び前記出力インタフェース６２０で実施されてもよい。
【０１６９】
図７に示すように、本願の実施例はネットワークデバイス７００をさらに提供し、前記ネットワークデバイス７００は図５に示されるネットワークデバイス５００であってもよく、それは図３に示される方法３００に対応するネットワークデバイスの内容を実行するために用いることができる。前記ネットワークデバイス７００は入力インタフェース７１０と、出力インタフェース７２０と、プロセッサ７３０と、メモリ７４０とを含み、前記入力インタフェース７１０と、出力インタフェース７２０と、プロセッサ７３０と、メモリ７４０とはバスシステムを介して接続することができる。前記メモリ７４０はプログラム、コマンド又はコードを含めて記憶するために用いられる。前記プロセッサ７３０は、入力インタフェース７１０の信号受信を制御し、出力インタフェース７２０の信号送信を制御し、前述した方法の実施例における操作を完了するよう、前記メモリ７４０におけるプログラム、コマンド又はコードを実行するためにに用いられる。
【０１７０】
理解すべきことは、本願の実施例では、前記プロセッサ７３０は中央処理装置（Ｃｅｎｔｒａｌ  Ｐｒｏｃｅｓｓｉｎｇ  Ｕｎｉｔ、略称「ＣＰＵ」）であってもよく、前記プロセッサ７３０はさらに他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジック論理デバイス、ディスクリートハードウェアコンポーネントなどであってもよい。汎用プロセッサは、マイクロプロセッサであってもよく、又は前記プロセッサは、任意の通常のプロセッサなどであってもよい。
【０１７１】
前記メモリ７４０は読み取り専用メモリ及びランダムアクセスメモリを含み、コマンド及びデータをプロセッサ７３０に提供するものとしてもよい。メモリ７４０の一部は、不揮発性ランダムアクセスメモリをさらに含んでもよい。例えば、メモリ７４０は、デバイスタイプの情報を記憶することができる。
【０１７２】
実施プロセスにおいて、上記方法の各内容はプロセッサ７３０におけるハードウェアの集積論理回路又はソフトウェア形態のコマンドによって完了できる。本願の実施例に関連して開示される方法の内容は、ハードウェアプロセッサによって実行及び完了されるもの、又はプロセッサにおけるハードウェア及びソフトウェアモジュールの組み合わせによって実行及び完了されるものとして直接具体化されてもよい。ソフトウェアモジュールは、ランダムアクセスメモリ、フラッシュメモリ、読み取り専用メモリ、プログラマブル読み取り専用メモリ、又は電気的に消去可能なプログラマブルメモリ、及びレジスタなど、当技術分野での成熟した記憶媒体に配置してもよい。前記記憶媒体はメモリ７４０に配置され、プロセッサ７３０はメモリ７４０における情報を読み取り、そのハードウェアと組み合わせて上記方法の内容を完了する。重複を避けるために、ここでは詳細な説明を省略する。
【０１７３】
１つの具体的な実施形態では、図５のネットワークデバイス５００に含まれる決定ブロック５１０は、図７のプロセッサ７３０で実施されてもよく、図５のネットワークデバイス５００に含まれる通信モジュール５２０は、図７の前記入力インタフェース７１０及び前記出力インタフェース７２０で実施されてもよい。
【０１７４】
本願の実施例は、１つ又は複数のプログラムを記憶するコンピュータ可読記憶媒体をさらに提供し、当該１つ又は複数のプログラムはコマンドを含み、当該コマンドは、複数のアプリケーションプログラムを含む携帯型電子デバイスによって実行されると、当該携帯型電子デバイスに図２及び３に示される実施例の方法を実行させることができる。
【０１７５】
本願の実施例は、コマンドを含むコンピュータプログラムをさらに提供し、当該コンピュータプログラムはコンピュータによって実行されると、コンピュータに図２及び図３に示される実施例の方法に対応するフローチャートを実行させることができる。
【０１７６】
当業者は、本明細書に開示されている実施例に関連して説明される様々な例のユニット及びアルゴリズムステップは、電子ハードウェア、又はコンピュータソフトウェアと電子ハードウェアの組み合わせにより実施され得ることを理解するであろう。これらの機能をハードウェアで実行するか又はソフトウェアで実行するかは、技術的解決手段の特定の用途及び設計上の制限条件によって決定される。当業者は、各特定の用途に対して異なる方法で説明される機能を実施することができるが、このような実施は、本願の範囲を超えると考慮されるべきではない。
【０１７７】
当業者であれば明確に理解できるように、説明の便宜及び簡潔さのため、上記のシステム、装置及びユニットの具体的な動作プロセスについては前述した方法の実施例における対応するプロセスを参照すればよく、ここでは詳細な説明を省略する。
【０１７８】
本願にて提供されるいくつかの実施例では、開示されているシステム、装置及び方法は、その他の形態で実施可能であることが理解されたい。例えば、上述した装置の実施例は、例示的なものに過ぎず、例えば、前記ユニットの分割は、論理的な機能分割に過ぎず、実際に実施する際にその他の形態で分割することもでき、例えば、複数のユニット又は部品を組み合わせてもよいし、別のシステムに集積してもよく、又は一部の特徴を無視するか実行しなくてもよい。一方で、表示又は検討される相互結合、直接結合又は通信接続は、いくつかのインタフェース、装置又はユニットを介して間接的に結合するもの又は通信接続するものであってもよく、電気的形態、機械的形態又はその他の形態であってもよい。
【０１７９】
分離した部品として説明される前記ユニットは、物理的に分離したものであっても、物理的に分離したものでなくてもよく、ユニットとして表示された部品は、物理的なユニットであっても、物理的なユニットでなくてもよく、すなわち、同一の場所に設けられても、複数のネットワークユニット上に分布されてもよい。実際のニーズに応じて、一部のユニット又は全てのユニットを選択して本実施例の解決手段の目的を実施することができる。
【０１８０】
また、本願の各実施例における各機能ユニットは、１つの処理ユニットに集積されても、物理的に別々の部品として存在しても、２つ以上のユニットが１つのユニットに集積されてもよい。
【０１８１】
前記機能は、ソフトウェア機能ユニットの形態で実施されて独立した製品として販売又は使用される場合、コンピュータ可読記憶媒体に記憶できる。このような理解に基づき、本願の技術的解決手段は、本質上又は既存の技術に寄与する部分又は前記技術的解決手段の部分は、ソフトウェア製品の形態で具現化可能であり、前記コンピュータソフトウェア製品は記憶媒体に記憶され、コンピュータデバイス（パソコン、サーバ、又はネットワークデバイスなどであってもよい）に本願の各実施例に記載の方法のすべて又は一部のステップを実行させるためのいくつかのコマンドを含む。前記記憶媒体は、ＵＳＢフラッシュメモリ、ポータブルハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又はコンパクトディスクなど、プロクラムコードを記憶できる様々な媒体を含む。
【０１８２】
以上説明は、本願の具体的な実施形態に過ぎず、本願の保護範囲はこれらに限定されず、当業者であれば、本願に開示された技術的範囲内で容易に想到し得る変更や置換は、いずれも本願の保護範囲に含まれるべきである。従って、本願の保護範囲は、特許請求の範囲に記載の保護範囲に準拠するものとする。
【図１】
2021513762.tif 000003
【図２】
2021513762.tif 000004
【図３】
2021513762.tif 000005
【図４】
2021513762.tif 000006
【図５】
2021513762.tif 000007
【図６】
2021513762.tif 000008
【図７】
2021513762.tif 000009
【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
第１の端末は第２の端末から送信された第３の端末を目標端末とする第１のメッセージを受信することと、
前記第１の端末は指示情報に基づき、第１のメッセージを前記第３の端末に中継するか否かを決定することと、を含むことを特徴とするデータの伝送方法。
【請求項２】
第２の端末から送信された第３の端末を目標端末とする第１のメッセージを受信するための通信モジュールと、
指示情報に基づき、前記第１のメッセージを前記第３の端末に中継するか否かを決定するための決定モジュールとを含むことを特徴とする端末デバイス。
【請求項３】
前記指示情報は地理的位置情報を指示するために用いられ、
前記地理的位置情報は前記端末デバイスの地理的位置情報、前記第２の端末の地理的位置情報及び前記第３の端末の地理的位置情報のうち少なくとも１項を含むことを特徴とする請求項２に記載の端末デバイス。
【請求項４】
前記決定モジュールは、
前記端末デバイスの地理的位置情報が第１の地理的位置条件を満たす場合、前記第１のメッセージを前記第３の端末に中継することを決定する、又は
前記端末デバイスの地理的位置情報が前記第１の地理的位置条件を満たさない場合、前記第１のメッセージを前記第３の端末に中継しないことを決定するために用いられ、
又は
前記第２の端末の地理的位置情報が第２の地理的位置条件を満たす場合、前記第１のメッセージを前記第３の端末に中継することを決定する、又は
前記第２の端末の地理的位置情報が前記第２の地理的位置条件を満たさない場合、前記第１のメッセージを前記第３の端末に中継しないことを決定するために用いられ、
又は
前記第３の端末の地理的位置情報が第３の地理的位置条件を満たす場合、前記第１のメッセージを前記第３の端末に中継することを決定する、又は
前記第３の端末の地理的位置情報が前記第３の地理的位置条件を満たさない場合、前記第１のメッセージを前記第３の端末に中継しないことを決定するために用いられることを特徴とする請求項３に記載の端末デバイス。
【請求項５】
第１の地理的位置条件、第２の地理的位置条件及び第３の地理的位置条件はネットワークデバイスによって設定されるもの、又は前記端末デバイスに予め設定されるものであることを特徴とする請求項３又は４に記載の端末デバイス。
【請求項６】
前記地理的位置情報は、絶対的な地理的位置情報又は相対的な地理的位置情報であることを特徴とする請求項３〜５のいずれか１項に記載の端末デバイス。
【請求項７】
前記指示情報はさらに、中継端末のセットの情報、送信端末のセットの情報、及び受信端末のセットの情報のうち少なくとも１項を指示するために用いられ、
前記中継端末のセットは受信したメッセージを中継伝送できる端末デバイスのセットを指示するために用いられ、前記送信端末のセットは送信するメッセージを中継伝送する必要がある端末デバイスのセットを指示するために用いられ、前記受信端末のセットは中継伝送を介してメッセージを受信する必要がある端末デバイスのセットを指示するために用いられ、
前記決定モジュールは、
前記端末デバイスが前記中継端末のセットに属する場合、前記第１のメッセージを前記第３の端末に中継することを決定する、又は
前記端末デバイスが前記中継端末のセットに属しない場合、前記第１のメッセージを前記第３の端末に中継しないことを決定するために用いられ、
又は、
前記第２の端末が前記送信端末のセットに属する場合、前記第１のメッセージを前記第３の端末に中継することを決定する、又は
前記第２の端末が前記送信端末のセットに属しない場合、前記第１のメッセージを前記第３の端末に中継しないことを決定するために用いられ、
又は、
前記第３の端末が前記受信端末のセットに属する場合、前記第１のメッセージを前記第３の端末に中継することを決定する、又は
前記第３の端末が前記受信端末のセットに属しない場合、前記第１のメッセージを前記第３の端末に中継しないことを決定するために用いられることを特徴とする請求項２〜６のいずれか１項に記載の端末デバイス。
【請求項８】
前記中継端末のセットの情報、前記送信端末のセットの情報、及び前記受信端末のセットの情報は、ネットワークデバイスによって設定されるもの、又は前記第２の端末によって設定されるものであり、
前記中継端末のセットの情報、前記送信端末のセットの情報、及び前記受信端末のセットの情報は、端末デバイスの識別情報であることを特徴とする請求項７に記載の端末デバイス。
【請求項９】
前記指示情報はさらに信号品質情報を指示するために用いられ、
前記信号品質情報は、前記端末デバイスと前記第２の端末との間の信号品質情報、及び前記端末デバイスと前記第３の端末との間の信号品質情報の少なくとも１つを含み、
前記決定モジュールは、
前記端末デバイスと前記第２の端末との間の信号品質が第１の信号品質条件を満たす場合、前記第１のメッセージを前記第３の端末に中継することを決定する、又は
前記端末デバイスと前記第２の端末との間の信号品質が前記第１の信号品質条件を満たさない場合、前記第１のメッセージを前記第３の端末に中継しないことを決定するために用いられ、
又は、
前記端末デバイスと前記第３の端末との間の信号品質が第２の信号品質条件を満たす場合、前記第１のメッセージを前記第３の端末に中継することを決定する、又は
前記端末デバイスと前記第３の端末との間の信号品質が前記第２の信号品質条件を満たさない場合、前記第１のメッセージを前記第３の端末に中継しないことを決定するために用いられることを特徴とする請求項２〜８のいずれか１項に記載の端末デバイス。
【請求項１０】
前記第１の信号品質条件は第１の信号品質閾値であり、前記第２の信号品質条件は第２の信号品質閾値であることを特徴とする請求項９に記載の端末デバイス。
【請求項１１】
前記第１の信号品質条件及び前記第２の信号品質条件はネットワークデバイスによって設定されるもの、又は前記端末デバイスに予め設定されるものであることを特徴とする請求項９又は１０に記載の端末デバイス。
【請求項１２】
前記指示情報はさらに特定のリソースプールのセットを指示するために用いられ、
前記決定モジュールは、
前記第１のメッセージの送信リソースプールが前記特定のリソースプールのセットに属する場合、前記第１のメッセージを前記第３の端末に中継することを決定する、又は
前記第１のメッセージの送信リソースプールが前記特定のリソースプールのセットに属しない場合、前記第１のメッセージを前記第３の端末に中継しないことを決定するために用いられることを特徴とする請求項２〜１１のいずれか１項に記載の端末デバイス。
【請求項１３】
前記指示情報はさらにメッセージの中継方向を指示するために用いられ、
前記決定モジュールは、
前記第１のメッセージの中継方向が第１の方向である場合、前記第１のメッセージを前記第３の端末に中継することを決定する、又は
前記第１のメッセージの中継方向が前記第１の方向でない場合、前記第１のメッセージを前記第３の端末に中継しないことを決定するために用いられ、
前記第１の方向は、ネットワークデバイスによって設定されるもの、又は前記第２の端末によって設定されるものであることを特徴とする請求項２〜１２のいずれか１項に記載の端末デバイス。
【請求項１４】
前記指示情報はさらに中継伝送の最大回数を指示するために用いられ、前記通信モジュールはさらに、
前記第１のメッセージの中継回数が前記最大回数に達した場合、前記第１のメッセージの前記第３の端末への中継伝送を停止するために用いられ、
前記端末デバイスは、前記第１のメッセージを受信した後、前記第１のメッセージに含まれる前記指示情報によって指示される中継伝送の最大回数を１つ増加又は減少させて、変更された前記第１のメッセージを前記第３の端末に中継することを特徴とする請求項２〜１３のいずれか１項に記載の端末デバイス。
【請求項１５】
前記通信モジュールはさらに、
ネットワークデバイスから送信された前記指示情報を受信するために用いられ、又は
前記第２の端末から送信された前記指示情報を受信するために用いられ、
前記第２の端末は物理レイヤメッセージ、メディアアクセス制御ＭＡＣメッセージ、無線リンク制御ＲＬＣメッセージ、パケットデータコンバージェンスプロトコルＰＤＣＰメッセージ、アダプテーションレイヤメッセージ、又はＰＣ５−シグナリング（ＰＣ５−Ｓ）メッセージによって前記指示情報を送信することを特徴とする請求項２〜１４のいずれか１項に記載の端末デバイス。
【手続補正２】
【補正対象書類名】明細書
【補正対象項目名】全文
【補正方法】変更
【補正の内容】
【発明の詳細な説明】
【技術分野】
【０００１】
本願の実施例は、通信分野に関し、特に、データの伝送方法、端末デバイス及びネットワークデバイスに関する。
【背景技術】
【０００２】
デバイス・ツー・デバイス（Ｄｅｖｉｃｅ  ｔｏ  Ｄｅｖｉｃｅ、Ｄ２Ｄ）である端末間通信技術は、近隣端末が直接接続ネットワークを介して近距離範囲内でデータ伝送を行う方法を指し、Ｄ２Ｄ技術は、中央ノード（例えば、基地局）が転送を行う必要がなく、従って、より高いデータ速度及びより低い伝送遅延を有する。
【０００３】
Ｄ２Ｄ通信では、第２の端末は第１の端末を介して第３の端末に情報を転送してもよく、つまり、まず第２の端末は伝送対象メッセージを第１の端末に送信し、その後第１の端末が当該伝送対象メッセージを第３の端末に送信する。従って、第１の端末が当該メッセージを受信した後、当該伝送対象メッセージを第３の端末に中継するか否かをどのように決定するかが解決すべき緊急の問題である。
【発明の概要】
【発明が解決しようとする課題】
【０００４】
本願の実施例はデータの伝送方法、端末デバイス及びネットワークデバイスを提供し、中継端末は、指示情報に基づき、特定のメッセージを中継するか否かを決定する。
【課題を解決するための手段】
【０００５】
第１の態様にて提供されるデータの伝送方法は、第１の端末は第２の端末から送信された第３の端末を目標端末とする第１のメッセージを受信することと、前記第１の端末は指示情報に基づき、前記第１のメッセージを前記第３の端末に中継するか否かを決定することとを含む。
【０００６】
いくつかの可能な実施態様では、前記指示情報は地理的位置情報を指示するために用いられる。
【０００７】
いくつかの可能な実施態様では、前記地理的位置情報は、前記第１の端末の地理的位置情報、前記第２の端末の地理的位置情報、及び前記第３の端末の地理的位置情報のうち少なくとも１項を含む。
【０００８】
いくつかの可能な実施態様では、前記第１の端末は指示情報に基づき、前記第１のメッセージを前記第３の端末に中継するか否かを決定することは、前記第１の端末の地理的位置情報が第１の地理的位置条件を満たす場合、前記第１の端末は、前記第１のメッセージを前記第３の端末に中継することを決定すること、又は、前記第１の端末の地理的位置情報が前記第１の地理的位置条件を満たさない場合、前記第１の端末は、前記第１のメッセージを前記第３の端末に中継しないことを決定することを含む。
【０００９】
いくつかの可能な実施態様では、前記第１の端末は指示情報に基づき、前記第１のメッセージを前記第３の端末に中継するか否かを決定することは、前記第２の端末の地理的位置情報が第２の地理的位置条件を満たす場合、前記第１の端末は、前記第１のメッセージを前記第３の端末に中継することを決定すること、又は、前記第２の端末の地理的位置情報が前記第２の地理的位置条件を満たさない場合、前記第１の端末は、前記第１のメッセージを前記第３の端末に中継しないことを決定することを含む。
【００１０】
いくつかの可能な実施態様では、前記第１の端末は指示情報に基づき、前記第１のメッセージを前記第３の端末に中継するか否かを決定することは、前記第３の端末の地理的位置情報が第３の地理的位置条件を満たす場合、前記第１の端末は、前記第１のメッセージを前記第３の端末に中継することを決定すること、又は、前記第３の端末の地理的位置情報が前記第３の地理的位置条件を満たさない場合、前記第１の端末は、前記第１のメッセージを前記第３の端末に中継しないことを決定することを含む。
【００１１】
いくつかの可能な実施態様では、前記第１の地理的位置条件、前記第２の地理的位置条件、及び前記第３の地理的位置条件は、ネットワークデバイスによって設定されるもの、又は前記第１の端末に予め設定されるものである。
【００１２】
いくつかの可能な実施態様では、前記地理的位置情報は、絶対的な地理的位置情報又は相対的な地理的位置情報である。
【００１３】
いくつかの可能な実施態様では、前記指示情報は、さらに、中継端末のセットの情報、送信端末のセットの情報、及び受信端末のセットの情報のうち少なくとも１項を指示するために用いられ、ここで、前記中継端末のセットは受信したメッセージを中継伝送できる端末デバイスのセットを指示するために用いられ、前記送信端末のセットは送信するメッセージを中継伝送する必要がある端末デバイスのセットを指示するために用いられ、前記受信端末のセットは中継伝送を介してメッセージを受信する必要がある端末デバイスのセットを指示するために用いられる。
【００１４】
いくつかの可能な実施態様では、前記第１の端末は指示情報に基づき、前記第１のメッセージを前記第３の端末に中継するか否かを決定することは、前記第１の端末が前記中継端末のセットに属する場合、前記第１の端末は、前記第１のメッセージを前記第３の端末に中継することを決定すること、又は、前記第１の端末が前記中継端末のセットに属しない場合、前記第１の端末は、前記第１のメッセージを前記第３の端末に中継しないことを決定することを含む。
【００１５】
いくつかの可能な実施態様では、前記第１の端末は指示情報に基づき、前記第１のメッセージを前記第３の端末に中継するか否かを決定することは、前記第２の端末が前記送信端末のセットに属する場合、前記第１の端末は、前記第１のメッセージを前記第３の端末に中継することを決定すること、又は、前記第２の端末が前記送信端末のセットに属しない場合、前記第１の端末は、前記第１のメッセージを前記第３の端末に中継しないことを決定することを含む。
【００１６】
いくつかの可能な実施態様では、前記第１の端末は指示情報に基づき、前記第１のメッセージを前記第３の端末に中継するか否かを決定することは、前記第３の端末が前記受信端末のセットに属する場合、前記第１の端末は、前記第１のメッセージを前記第３の端末に中継することを決定すること、又は、前記第３の端末が前記受信端末のセットに属しない場合、前記第１の端末は、前記第１のメッセージを前記第３の端末に中継しないことを決定することを含む。
【００１７】
いくつかの可能な実施態様では、前記中継端末のセットの情報、前記送信端末のセットの情報、及び前記受信端末のセットの情報は、ネットワークデバイスによって設定されるもの、又は前記第２の端末によって設定されるものである。
【００１８】
いくつかの可能な実施態様では、前記中継端末のセットの情報、前記送信端末のセットの情報、及び前記受信端末のセットの情報は、端末デバイスの識別情報である。
【００１９】
いくつかの可能な実施態様では、前記指示情報はさらに、信号品質情報を指示するために用いられる。
【００２０】
いくつかの可能な実施態様では、前記信号品質情報は、前記第１の端末と前記第２の端末との間の信号品質情報及び／又は前記第１の端末と前記第３の端末との間の信号品質情報を含む。
【００２１】
いくつかの可能な実施態様では、前記第１の端末は指示情報に基づき、前記第１のメッセージを前記第３の端末に中継するか否かを決定することは、前記第１の端末と前記第２の端末との間の信号品質が第１の信号品質条件を満たす場合、前記第１の端末は、前記第１のメッセージを前記第３の端末に中継することを決定すること、又は、前記第１の端末と前記第２の端末との間の信号品質が前記第１の信号品質条件を満たさない場合、前記第１の端末は、前記第１のメッセージを前記第３の端末に中継しないことを決定することを含む。
【００２２】
いくつかの可能な実施態様では、前記第１の端末は指示情報に基づき、前記第１のメッセージを前記第３の端末に中継するか否かを決定することは、前記第１の端末と前記第３の端末との間の信号品質が第２の信号品質条件を満たす場合、前記第１の端末は、前記第１のメッセージを前記第３の端末に中継することを決定すること、又は、前記第１の端末と前記第３の端末との間の信号品質が前記第２の信号品質条件を満たさない場合、前記第１の端末は、前記第１のメッセージを前記第３の端末に中継しないことを決定することを含む。
【００２３】
いくつかの可能な実施態様では、前記第１の信号品質条件は第１の信号品質閾値であり、前記第２の信号品質条件は第２の信号品質閾値である。
【００２４】
いくつかの可能な実施態様では、前記第１の信号品質条件及び前記第２の信号品質条件は、ネットワークデバイスによって設定されるもの、又は前記第１の端末に予め設定されるものである。
【００２５】
いくつかの可能な実施態様では、前記指示情報はさらに、特定のリソースプールのセットを指示するために用いられる。
【００２６】
いくつかの可能な実施態様では、前記第１の端末は指示情報に基づき、前記第１のメッセージを前記第３の端末に中継するか否かを決定することは、前記第１のメッセージの送信リソースプールが前記特定のリソースプールのセットに属する場合、前記第１の端末は、前記第１のメッセージを前記第３の端末に中継することを決定すること、又は、前記第１のメッセージの送信リソースプールが前記特定のリソースプールのセットに属しない場合、前記第１の端末は、前記第１のメッセージを前記第３の端末に中継しないことを決定することを含む。
【００２７】
いくつかの可能な実施態様では、前記指示情報はさらに、メッセージの中継方向を指示するために用いられる。
【００２８】
いくつかの可能な実施態様では、前記第１の端末は指示情報に基づき、前記第１のメッセージを前記第３の端末に中継するか否かを決定することは、前記第１のメッセージの中継方向が第１の方向である場合、前記第１の端末は、前記第１のメッセージを前記第３の端末に中継することを決定すること、又は、前記第１のメッセージの中継方向が前記第１の方向でない場合、前記第１の端末は、前記第１のメッセージを前記第３の端末に中継しないことを決定することを含む。
【００２９】
いくつかの可能な実施態様では、前記第１の方向は、ネットワークデバイスによって設定されるもの、又は前記第２の端末によって設定されるものである。
【００３０】
いくつかの可能な実施態様では、前記指示情報はさらに中継伝送の最大回数を指示するために用いられ、前記方法は、前記第１のメッセージの中継回数が前記最大回数に達した場合、前記第１の端末は前記第１のメッセージの前記第３の端末への中継伝送を停止することをさらに含む。
【００３１】
いくつかの可能な実施態様では、前記第１の端末は、前記第１のメッセージを受信した後、前記第１のメッセージに含まれる前記指示情報によって指示される中継伝送の最大回数を１つ増加又は減少させて、変更された前記第１のメッセージを前記第３の端末に中継伝送する。
【００３２】
いくつかの可能な実施態様では、前記方法は、前記第１の端末がネットワークデバイスから送信された前記指示情報を受信することをさらに含む。
【００３３】
いくつかの可能な実施態様では、前記方法は、前記第１の端末が前記第２の端末から送信された前記指示情報を受信することをさらに含む。
【００３４】
いくつかの可能な実施態様では、前記第２の端末は物理レイヤメッセージ、メディアアクセス制御（ＭＡＣ）メッセージ、無線リンク制御（ＲＬＣ）メッセージ、パケットデータコンバージェンスプロトコル（ＰＤＣＰ）メッセージ、アダプテーションレイヤメッセージ、又はＰＣ５−シグナリング（ＰＣ５−Ｓ）メッセージによって前記指示情報を送信する。
【００３５】
従って、本願の実施例に係るデータの伝送方法において、中継端末は、地理的位置情報、信号品質情報、送信端末、中継端末及び受信端末が属する端末デバイスのセットの情報、リソースプール情報、中継方向情報のうち少なくとも１項に基づき、当該第１のメッセージを第３の端末に中継するか否かを決定でき、それにより柔軟な中継伝送を実施できる。
【００３６】
第２の態様にて提供されるデータの伝送方法は、ネットワークデバイスは、第１の端末が第２の端末から送信された第１のメッセージを受信した時に、前記第１のメッセージを第３の端末に中継するか否かを決定するための指示情報を決定することと、前記ネットワークデバイスは前記第１の端末に前記指示情報を送信することとを含む。
【００３７】
いくつかの可能な実施態様では、前記指示情報は地理的位置条件を指示するために用いられる。
【００３８】
いくつかの可能な実施態様では、前記地理的位置条件は前記第１の端末の地理的位置情報に対応する第１の地理的位置条件、前記第２の端末の地理的位置情報に対応する第２の地理的位置条件及び前記第３の端末の地理的位置情報に対応する第３の地理的位置条件のうち少なくとも１項を含む。
【００３９】
いくつかの可能な実施態様では、前記地理的位置情報は、絶対的な地理的位置情報又は相対的な地理的位置情報である。
【００４０】
いくつかの可能な実施態様では、前記指示情報は、さらに、中継端末のセットの情報、送信端末のセットの情報、及び受信端末のセットの情報のうち少なくとも１項を指示するために用いられ、ここで、前記中継端末のセットは受信したメッセージを中継伝送できる端末デバイスのセットを指示するために用いられ、前記送信端末のセットは送信するメッセージを中継伝送する必要がある端末デバイスのセットを指示するために用いられ、前記受信端末のセットは中継伝送を介してメッセージを受信する必要がある端末デバイスのセットを指示するために用いられる。
【００４１】
いくつかの可能な実施態様では、前記指示情報はさらに信号品質条件を指示するために用いられる。
【００４２】
いくつかの可能な実施態様では、前記信号品質条件は前記第１の端末と前記第２の端末との間の信号品質情報に対応する第１の信号品質条件及び／又は前記第１の端末と前記第３の端末との間の信号品質情報に対応する第２の信号品質条件を含む。
【００４３】
いくつかの可能な実施態様では、前記指示情報はさらに特定のリソースプールのセットを指示するために用いられる。
【００４４】
いくつかの可能な実施態様では、前記指示情報はさらにメッセージの中継方向を指示するために用いられる。
【００４５】
いくつかの可能な実施態様では、前記指示情報はさらに中継伝送の最大回数を指示するために用いられる。
【００４６】
第３の態様にて提供される端末デバイスは、上記第１の態様又は第１の態様の任意の可能な実施態様における方法を実行するために用いられる。具体的には、当該端末デバイスは、上記第１の態様又は第１の態様の任意の可能な実施態様における方法を実行するために用いられるユニットを含む。
【００４７】
第４の態様にて提供されるネットワークデバイスは、上記第２の態様又は第２の態様の任意の可能な実施態様における方法を実行するために用いられる。具体的には、当該ネットワークデバイスは、上記第２の態様又は第２の態様の任意の可能な実施態様における方法を実行するために用いられるユニットを含む。
【００４８】
第５の態様にて提供される端末デバイスはメモリと、プロセッサと、入力インタフェースと、出力インタフェースとを含む。ここで、メモリと、プロセッサと、入力インタフェースと、出力インタフェースとはバスシステムを介して接続される。当該メモリはコマンドを記憶するために用いられ、当該プロセッサは、上記第１の態様又は第１の態様の任意の可能な実施態様における方法を実行するように、当該メモリに記憶されているコマンドを実行するために用いられる。
【００４９】
第６の態様にて提供されるネットワークデバイスはメモリと、プロセッサと、入力インタフェースと、出力インタフェースとを含む。ここで、メモリと、プロセッサと、入力インタフェースと、出力インタフェースとはバスシステムを介して接続される。当該メモリはコマンドを記憶するために用いられ、当該プロセッサは、上記第２の態様又は第２の態様の任意の可能な実施態様における方法を実行するように、当該メモリに記憶されているコマンドを実行するために用いられる。
【００５０】
第７の態様にて提供されるコンピュータ記憶媒体は、上記第１の態様又は第１の態様の任意の可能な実施態様における方法を実行するために用いられるコンピュータソフトウェアコマンドを記憶するために用いられ、上記コンピュータソフトウェアコマンドは上記態様を実行するために設計されたプログラムを含む。
【００５１】
第８の態様にて提供されるコンピュータ記憶媒体は、上記第２の態様又は第２の態様の任意の可能な実施態様における方法を実行するために用いられるコンピュータソフトウェアコマンドを記憶するために用いられ、上記コンピュータソフトウェアコマンドは上記態様を実行するために設計されたプログラムを含む。
【００５２】
第９の態様にて提供されるコマンドを含むコンピュータプログラム製品は、コンピュータで実行されると、コンピュータに上記第１の態様又は第１の態様のいずれかの可能な実施態様における方法を実行させる。
【００５３】
第１０の態様にて提供されるコマンドを含むコンピュータプログラム製品は、コンピュータで実行されると、コンピュータに上記第２の態様又は第２の態様のいずれかの可能な実施態様における方法を実行させる。
【図面の簡単な説明】
【００５４】
【図１】本願の実施例による通信システムを示す概略図である。
【図２】本願の実施例によるデータの伝送方法を示す概略フローチャートである。
【図３】本願の実施例によるデータの伝送方法を示す概略フローチャートである。
【図４】本願の実施例による端末デバイスを示す概略ブロック図である。
【図５】本願の実施例によるネットワークデバイスを示す概略ブロック図である。
【図６】本願の実施例による端末デバイスを示す概略ブロック図である。
【図７】本願の実施例によるネットワークデバイスを示す概略ブロック図である。
【発明を実施するための形態】
【００５５】
以下、本願の実施例における添付図面を参照しながら、本願の実施例における技術的解決手段について説明する。
【００５６】
理解すべきことは、本願の実施例における技術的解決手段は、例えば、ロングタームエボリューション（Ｌｏｎｇ  Ｔｅｒｍ  Ｅｖｏｌｕｔｉｏｎ、ＬＴＥ（登録商標））システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、第４．５世代（４．５ｔｈ  ｇｅｎｅｒａｔｉｏｎ、４．５Ｇ）ネットワーク、第５世代（５ｔｈ  ｇｅｎｅｒａｔｉｏｎ、５Ｇ）ネットワーク、新しいラジオ（ｎｅｗ  ｒａｄｉｏ、ＮＲ）など、様々な通信システムに適用可能である。本願の実施例は、ビークル・ツー・ビークル（ｖｅｈｉｃｌｅ  ｔｏ  ｖｅｈｉｃｌｅ、Ｖ２Ｖ）システムなどのビークル・ツー・エブリシング（ｖｅｈｉｃｌｅ  ｔｏ  ｅｖｅｒｙｔｈｉｎｇ、Ｖ２Ｘ）システムにも適用可能であり、又は、Ｄ２Ｄシステムにも適用可能であり、本願の実施例はこれらに限定されない。
【００５７】
理解すべきことは、本願の実施例における端末デバイスは、端末（Ｔｅｒｍｉｎａｌ）、ユーザ機器（ｕｓｅｒ  ｅｑｕｉｐｍｅｎｔ、ＵＥ）、移動局（ｍｏｂｉｌｅ  ｓｔａｔｉｏｎ、ＭＳ）、移動端末（ｍｏｂｉｌｅ  ｔｅｒｍｉｎａｌ、ＭＴ）などと呼ばれてもよい。当該端末デバイスは、例えば車両又は自動運転（ｓｅｌｆ  ｄｒｉｖｉｎｇ）における無線無線端末などの車両用端末（ｖｅｈｉｃｌｅ  Ｔｅｒｍｉｎａｌ、ＶＴ）であってもよく、又は、当該端末デバイスは、例えば携帯電話（ｍｏｂｉｌｅ  ｐｈｏｎｅ）、タブレット（Ｐａｄ）、無線送受信機能付き無線のコンピュータなどの歩行者用手持ち端末（ｐｅｄｅｓｔｒｉａｎ  ｈａｎｄｈｅｌｄ  ｔｅｒｍｉｎａｌ、ＰＨＴ）であってもよい。
【００５８】
理解すべきことは、本願の実施例に係るネットワークデバイスは、端末デバイスに無線通信機能を提供するために無線アクセスネットワークに配備される装置である。前記ネットワークデバイスは基地局であってもよく、前記基地局は、様々な形態のマクロ基地局、マイクロ基地局、中継局、アクセスポイントなどを含んでもよい。異なる無線アクセステクノロジーを使用するシステムでは、基地局機能を備えたデバイスの名前が異なる可能性がある。例えば、ＬＴＥネットワークでは、これは発展型ノードＢ（ｅｖｏｌｖｅｄ  ｎｏｄｅＢ、ｅＮＢ又はｅＮｏｄｅＢ）と呼ばれ、第３世代（３ｒｄ  Ｇｅｎｅｒａｔｉｏｎ、３Ｇ）ネットワークでは、ノードＢ（ノードＢ）などと呼ばれる。
【００５９】
図１は本願の実施例による通信システム１００を示す概略図である。図１に示すように、本願の実施例は様々な適用場面に適用可能であり、ここでは、車両のインターネットシステムにおけるネットワークデバイス及び端末デバイスを例として説明し、ここで、ネットワークデバイスは基地局１１０であってもよく、端末デバイスは、例えば、車両１２１及び車両１２２などの車両用端末であってもよい。
【００６０】
車両のインターネットシステムでは、送信端末が中継端末にメッセージを送信でき、中継端末が当該メッセージを受信した後、当該メッセージの目標端末（又は受信端末）に当該メッセージを中継するか否かをどのように決定するかは解決すべき緊急の問題である。
【００６１】
上記問題点に鑑みて、本願の実施例は、中継端末が目標端末にメッセージを中継するか否かを決定できるデータの伝送方法を提供する。
【００６２】
図２は本願の一実施例によるデータの伝送方法２００を示す概略フローチャートであり、当該方法２００は、図１に示される通信システム１００における端末デバイスによって実行可能であり、図２に示すように、当該方法２００は、
第１の端末は第２の端末から送信された第３の端末を目標端末とする第１のメッセージを受信するＳ２１０と、
前記第１の端末は指示情報に基づき、第１のメッセージを前記第３の端末に中継するか否かを決定するＳ２２０とを含む。
【００６３】
本願の実施例では、第１の端末は、第２の端末からの第１のメッセージを受信でき、当該第２の端末の目標端末は第３の端末であり、すなわち、第２の端末は送信端末であり、第３の端末は受信端末であり、第１の端末は中継端末であり、この場合、前記第１の端末は、指示情報に基づき、前記第１のメッセージを前記第３の端末に中継するか否かを決定することができる。ここで、当該指示情報は、ネットワークデバイスから前記第１の端末に送信されるものであってもよく、前記第２の端末から前記第１の端末に送信されるものであってもよく、例えば、前記第２の端末は物理レイヤ（Ｐｈｙｓｉｃａｌ  ｌａｙｅｒ、ＰＨＹ）メッセージ、メディアアクセス制御（Ｍｅｄｉａ  Ａｃｃｅｓｓ  Ｃｏｎｔｒｏｌ、ＭＡＣ）メッセージ、無線リンク制御（Ｒａｄｉｏ  Ｌｉｎｋ  Ｃｏｎｔｒｏｌ、ＲＬＣ）メッセージ、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）メッセージ、アダプテーションレイヤ（ａｄａｐｔａｔｉｏｎ  ｌａｙｅｒ）メッセージ、又はＰＣ５シグナリング（ＰＣ５−Ｓｉｇｎａｌｉｎｇ、ＰＣ５−Ｓ）メッセージなどによって前記第１の端末に前記指示情報を送信することができ、本願の実施例はこれについて限定しない。
【００６４】
本願の実施例では、前記指示情報は、特定のパラメータ又は情報に基づき、当該第１のメッセージを中継するか否かを決定するように前記第１の端末に指示するために用いられてもよい。例えば、前記指示情報は、前記第１のメッセージのタイプに基づき、前記第１のメッセージを中継するか否かを決定するように前記第１の端末に指示するために用いられてもよく、例えば、前記第１の端末は、第１のメッセージのタイプが特定のタイプに属する場合、前記第１のメッセージを中継することを決定することができる。ここで、前記特定のタイプは、ネットワークデバイスによって設定されるもの、又は前記第２の端末によって設定されるものであってもよく、又は、前記第１の端末に予め設定されるものであってもよく、本願の実施例はこれについて限定しない。
【００６５】
本願の実施例では、前記指示情報は、地理的位置情報を指示するために用いられてもよく、すなわち、前記第１の端末は、地理的位置情報に基づき、前記第１のメッセージを第３の端末に中継するか否かを決定することができる。一実施形態において、前記地理的位置情報は、前記第１の端末の地理的位置情報、前記第２の端末の地理的位置情報、及び前記第３の端末の地理的位置情報のうち少なくとも１項を含み、この場合、Ｓ２２０は、
前記第１の端末は、前記第１の端末の地理的位置情報、前記第２の端末の地理的位置情報、及び前記第３の端末の地理的位置情報のうち少なくとも１項に基づき、前記第１のメッセージを前記第３の端末に中継するか否かを決定することを含んでよい。
【００６６】
つまり、前記第１の端末は、前記第１の端末の地理的位置情報、前記第２の端末の地理的位置情報（前記第２の端末は自身の地理的位置を第１の端末に報告することができる）、及び前記第３の端末の地理的位置情報（前記第３の端末は自身の地理的位置を第１の端末に報告することができる）のうち少なくとも１項を取得することができ、その後上記地理的位置情報に基づき、前記第１のメッセージを前記第３の端末に中継するか否かを決定する。
【００６７】
１つの実施例として、前記第１の端末は、前記第１の端末の地理的位置情報、前記第２の端末の地理的位置情報、及び前記第３の端末の地理的位置情報のうち少なくとも１項に基づき、前記第１のメッセージを前記第３の端末に中継するか否かを決定することは、
前記第１の端末の地理的位置情報が第１の地理的位置条件を満たす場合、前記第１の端末は、前記第１のメッセージを前記第３の端末に中継することを決定すること、又は
前記第１の端末の地理的位置情報が前記第１の地理的位置条件を満たさない場合、前記第１の端末は、前記第１のメッセージを前記第３の端末に中継しないことを決定することを含んでよい。
【００６８】
理解すべきことは、前記第１の地理的位置条件は、ネットワークデバイスによって設定されるものであってもよく、前記第２の端末によって設定されるものであってもよく、又は、前記第１の端末に予め設定されるものであってもよく、本願の実施例はこれについて限定しない。前記第１の地理的位置条件は特定の地理的位置範囲であってもよく、相対的な地理的位置条件、例えば、前記第１の端末が前記第２の端末に対する位置、又は前記第１の端末が前記第３の端末に対する位置などであってもよく、本願の実施例はこれについて限定しない。
【００６９】
例えば、前記第１の端末は、第１の端末の現在位置する地理的位置がある特定の地理的位置範囲内にある場合、前記第３の端末に前記第１のメッセージを中継することを決定し、そうでない場合、前記第３の端末に前記第１のメッセージを中継しないことを決定することができ、又は、前記第１の端末の現在位置する地理的位置がある特定の地理的位置範囲内にない場合、前記第３の端末に前記第１のメッセージを中継することを決定し、そうでない場合、前記第３の端末に前記第１のメッセージを中継しないことを決定することができる。
【００７０】
また、例えば、前記第１の端末は、前記第１の端末の前記第２の端末に対する相対的な地理的位置がある特定の範囲内にある場合、前記第３の端末に前記第１のメッセージを中継することを決定し、そうでない場合、前記第３の端末に前記第１のメッセージを中継しないことを決定することができ、又は、前記第１の端末の前記第２の端末に対する相対的な地理的位置がある特定の範囲内にない場合、前記第３の端末に前記第１のメッセージを中継することを決定し、そうでない場合、前記第３の端末に前記第１のメッセージを中継しないことを決定してもよい。
【００７１】
さらに、例えば、前記第１の端末は、前記第１の端末の前記第３の端末に対する相対的な地理的位置がある特定の範囲内にある場合、前記第３の端末に前記第１のメッセージを中継することを決定し、そうでない場合、前記第３の端末に前記第１のメッセージを中継しないことを決定してもよく、又は、前記第１の端末の前記第３の端末に対する相対的な地理的位置がある特定の範囲内にない場合、前記第３の端末に前記第１のメッセージを中継することを決定し、そうでない場合、前記第３の端末に前記第１のメッセージを中継しないことを決定してもよい。
【００７２】
別の実施例として、前記第１の端末は、前記第１の端末の地理的位置情報、前記第２の端末の地理的位置情報、及び前記第３の端末の地理的位置情報のうち少なくとも１項に基づき、前記第１のメッセージを前記第３の端末に中継するか否かを決定することは、
前記第２の端末の地理的位置情報が第２の地理的位置条件を満たす場合、前記第１の端末は、前記第１のメッセージを前記第３の端末に中継することを決定すること、又は
前記第２の端末の地理的位置情報が前記第２の地理的位置条件を満たさない場合、前記第１の端末は、前記第１のメッセージを前記第３の端末に中継しないことを決定することを含んでよい。
【００７３】
前述した第１の地理的位置条件と同様に、前記第２の地理的位置条件はネットワークデバイスによって設定されるものであってもよく、前記第２の端末によって設定されるものであってもよく、又は、前記第１の端末に予め設定されるものであってもよく、前記第２の地理的位置条件は特定の地理的位置範囲であってもよく、相対的な地理的位置条件、例えば、前記第２の端末の前記第１の端末に対する位置などであってもよい。
【００７４】
例えば、前記第１の端末は、第２の端末の現在位置する地理的位置がある特定の地理的位置範囲内にある場合、前記第３の端末に前記第１のメッセージを中継することを決定し、そうでない場合、前記第３の端末に前記第１のメッセージを中継しないことを決定してもよく、又は、前記第２の端末の現在位置する地理的位置がある特定の地理的位置範囲内にない場合、前記第３の端末に前記第１のメッセージを中継することを決定し、そうでない場合、前記第３の端末に前記第１のメッセージを中継しないことを決定してもよい。
【００７５】
また、例えば、前記第１の端末は、第２の端末の前記第１の端末に対する相対的な地理的位置がある特定の範囲内にある場合、前記第３の端末に前記第１のメッセージを中継することを決定し、そうでない場合、前記第３の端末に前記第１のメッセージを中継しないことを決定してもよく、又は、前記第２の端末の前記第１の端末に対する相対的な地理的位置がある特定の範囲内にない場合、前記第３の端末に前記第１のメッセージを中継することを決定し、そうでない場合、前記第３の端末に前記第１のメッセージを中継しないことを決定してもよい。
【００７６】
さらに別の実施例として、前記第１の端末は、前記第１の端末の地理的位置情報、前記第２の端末の地理的位置情報、及び前記第３の端末の地理的位置情報のうち少なくとも１項に基づき、前記第１のメッセージを前記第３の端末に中継するか否かを決定することは、
前記第３の端末の地理的位置情報が第３の地理的位置条件を満たす場合、前記第１の端末は、前記第１のメッセージを前記第３の端末に中継することを決定すること、又は
前記第３の端末の地理的位置情報が前記第３の地理的位置条件を満たさない場合、前記第１の端末は、前記第１のメッセージを前記第３の端末に中継しないことを決定することを含んでよい。
【００７７】
前述した第１の地理的位置条件及び第２の地理的位置条件と同様に、前記第３の地理的位置条件はネットワークデバイスによって設定されるものであってもよく、前記第２の端末によって設定されるものであってもよく、又は、前記第１の端末に予め設定されるものであってもよく、前記第３の地理的位置条件は特定の地理的位置範囲であってもよく、相対的な地理的位置条件、例えば、前記第３の端末の前記第１の端末に対する位置などであってもよい。
【００７８】
例えば、前記第１の端末は、第３の端末の現在位置する地理的位置がある特定の地理的位置範囲内にある場合、前記第３の端末に前記第１のメッセージを中継することを決定し、そうでない場合、前記第３の端末に前記第１のメッセージを中継しないことを決定してもよく、又は、前記第３の端末の現在位置する地理的位置がある特定の地理的位置範囲内にない場合、前記第３の端末に前記第１のメッセージを中継することを決定し、そうでない場合、前記第３の端末に前記第１のメッセージを中継しないことを決定してもよい。
【００７９】
また、例えば、前記第１の端末は、前記第３の端末の前記第１の端末に対する相対的な地理的位置がある特定の範囲内にある場合、前記第３の端末に前記第１のメッセージを中継することを決定し、そうでない場合、前記第３の端末に前記第１のメッセージを中継しないことを決定してもよく、又は、前記第３の端末の前記第１の端末に対する相対的な地理的位置がある特定の範囲内にない場合、前記第３の端末に前記第１のメッセージを中継することを決定し、そうでない場合、前記第３の端末に前記第１のメッセージを中継しないことを決定してもよい。
【００８０】
本願の実施例では、前記第１の端末は、第１の端末、第２の端末及び第３の端末のうち少なくとも２つの端末デバイスの地理的位置情報をまとめて、前記第３の端末に前記第１のメッセージを中継するか否かを決定することができ、具体的な実施形態は同様であり、ここでは説明を省略する。
【００８１】
本願の実施例では、前記指示情報は、さらに中継端末のセットの情報、送信端末のセットの情報、及び受信端末のセットの情報のうち少なくとも１項を指示するために用いられ、
ここで、前記中継端末のセットは受信したメッセージを中継伝送できる端末デバイスのセットを指示するために用いられ、前記送信端末のセットは送信するメッセージを中継伝送する必要がある端末デバイスのセットを指示するために用いられ、前記受信端末のセットは中継伝送を介してメッセージを受信する必要がある端末デバイスのセットを指示するために用いられる。
【００８２】
この場合、Ｓ２２０は、
前記第１の端末は前記中継端末のセットの情報、前記送信端末のセットの情報及び前記受信端末のセットの情報のうち少なくとも１項に基づき、前記第１のメッセージを前記第３の端末に中継するか否かを決定することを含んでよい。
【００８３】
１つの実施例として、前記第１の端末は前記中継端末のセットの情報、前記送信端末のセットの情報及び前記受信端末のセットの情報のうち少なくとも１項に基づき、前記第１のメッセージを前記第３の端末に中継するか否かを決定することは、
前記第１の端末が前記中継端末のセットに属する場合、前記第１の端末は、前記第１のメッセージを前記第３の端末に中継することを決定すること、又は
前記第１の端末が前記中継端末のセットに属しない場合、前記第１の端末は、前記第１のメッセージを前記第３の端末に中継しないことを決定することを含む。
【００８４】
つまり、前記第１の端末（すなわち中継端末）が特定の端末デバイスのセットに属する場合、前記第１の端末は第１のメッセージを前記第３の端末に中継し、例えば、当該特定の端末デバイスのセットは各ユーザグループにおけるクラスタヘッド（ｃｌｕｓｔｅｒ  ｈｅａｄ）若しくはクラスタエンドであってもよく、又は一定の条件を満たす１つのグループの端末デバイスであってもよく、本願の実施例はこれについて限定しない。
【００８５】
理解すべきことは、当該中継端末のセットはネットワークデバイスによって前記第１の端末に設定されるものであってもよく、又は第２の端末によって第１の端末に設定されるものであってもよく、本願の実施例はこれについて限定せず、当該指示情報は１つのグループの端末デバイスの識別情報を指示するために用いられてもよく、当該中継端末のセットにおける端末デバイスのみが中継端末として用いられ、受信したメッセージを当該メッセージの目標端末に中継する。
【００８６】
別の実施例として、前記第１の端末は前記中継端末のセットの情報、前記送信端末のセットの情報及び前記受信端末のセットの情報のうち少なくとも１項に基づき、前記第１のメッセージを前記第３の端末に中継するか否かを決定することは、
前記第２の端末が前記送信端末のセットに属する場合、前記第１の端末は、前記第１のメッセージを前記第３の端末に中継することを決定すること、又は
前記第２の端末が前記送信端末のセットに属しない場合、前記第１の端末は、前記第１のメッセージを前記第３の端末に中継しないことを決定することを含む。
【００８７】
つまり、前記第２の端末（すなわち送信端末）が特定の端末デバイスのセットに属する場合のみ、前記第１の端末は第１のメッセージを前記第３の端末に中継し、つまり、前記第１の端末は、特定の端末デバイスのセットにおける端末デバイスから送信されたメッセージのみを中継する。一実施形態において、当該特定の端末デバイスのセットは各ユーザグループにおけるクラスタヘッド（ｃｌｕｓｔｅｒ  ｈｅａｄ）若しくはクラスタエンドであってもよく、又は一定の条件を満たす１つのグループの端末デバイスであってもよく、本願の実施例はこれについて限定しない。
【００８８】
理解すべきことは、当該送信端末のセットはネットワークデバイスによって前記第１の端末に設定されるものであってもよく、又は前記第２の端末によって前記第１の端末に設定されるものであってもよく、当該指示情報は１つのグループの端末デバイスの識別情報を指示するために用いられてもよく、当該送信端末のセットにおける端末デバイスから送信されたメッセージのみが、中継端末を介して、送信されたメッセージを当該メッセージの目標端末に中継することができる。
【００８９】
さらに別の実施例として、前記第１の端末は指示情報に基づき、第１のメッセージを前記第３の端末に中継するか否かを決定することは、
前記第３の端末が前記受信端末のセットに属する場合、前記第１の端末は、前記第１のメッセージを前記第３の端末に中継することを決定すること、又は
前記第３の端末が前記受信端末のセットに属しない場合、前記第１の端末は、前記第１のメッセージを前記第３の端末に中継しないことを決定することを含む。
【００９０】
つまり、前記第３の端末（すなわち受信端末）が特定の端末デバイスのセットに属する場合のみ、前記第１の端末は前記第１のメッセージを前記第３の端末に中継し、つまり、前記第１の端末は、特定の端末デバイスのセットに送信したメッセージのみを中継する。一実施形態において、当該特定の端末デバイスのセットは各ユーザグループにおけるクラスタヘッド（ｃｌｕｓｔｅｒ  ｈｅａｄ）若しくはクラスタエンドであってもよく、又は一定の条件を満たす１つのグループの端末デバイスであってもよく、本願の実施例はこれについて限定しない。
【００９１】
理解すべきことは、当該受信端末のセットはネットワークデバイスによって前記第１の端末に設定されるものであってもよく、又は前記第２の端末によって前記第１の端末に設定されるものであってもよく、当該指示情報は１つのグループの端末デバイスの識別情報を指示するために用いられてもよく、当該送信端末のセットにおける端末デバイスに送信されたメッセージのみが、中継端末を介して中継伝送することができる（必要がある）。
【００９２】
本願の実施例では、前記第１の端末は第１の端末、第２の端末及び第３の端末のうち少なくとも２つの端末デバイスと対応する端末デバイスのセットとの間の関係をまとめて、前記第３の端末に前記第１のメッセージを中継するか否かを決定することができ、具体的な実施形態は同様であり、ここでは説明を省略する。
【００９３】
本願の実施例では、前記指示情報はさらに信号品質情報を指示するために用いられ、１つの具体的な実施例では、前記信号品質情報は、前記第１の端末と前記第２の端末との間の信号品質情報及び／又は前記第１の端末と前記第３の端末との間の信号品質情報を含み、この場合、Ｓ２２０は、
前記第１の端末は前記第１の端末と前記第２の端末との間の信号品質情報及び／又は前記第１の端末と前記第３の端末との間の信号品質情報に基づき、前記第１のメッセージを前記第３の端末に中継するか否かを決定することを含んでよい。
【００９４】
つまり、前記第１の端末は前記第１の端末と前記第２の端末との間の信号品質情報及び／又は前記第１の端末と前記第３の端末との間の信号品質情報を測定し、その後測定した上記情報品質情報に基づき、前記第１のメッセージを前記第３の端末に中継するか否かを決定する。
【００９５】
１つの実施例として、前記第１の端末は前記第１の端末と前記第２の端末との間の信号品質情報及び／又は前記第１の端末と前記第３の端末との間の信号品質情報に基づき、前記第１のメッセージを前記第３の端末に中継するか否かを決定することは、
前記第１の端末と前記第２の端末との間の信号品質が第１の信号品質条件を満たす場合、前記第１の端末は、前記第１のメッセージを前記第３の端末に中継することを決定すること、又は
前記第１の端末と前記第２の端末との間の信号品質が前記第１の信号品質条件を満たさない場合、前記第１の端末は、前記第１のメッセージを前記第３の端末に中継しないことを決定することを含む。
【００９６】
なお、前記第１の信号品質条件は特定の信号品質閾値、又は信号品質範囲などであってもよく、本願の実施例はこれについて限定しない。例えば、前記第１の端末は、前記第１の端末と前記第２の端末との間の信号品質が特定の信号品質閾値より高い又は低い場合、前記第１のメッセージを前記第３の端末に中継することを決定し、そうでない場合、前記第１のメッセージを前記第３の端末に中継しないことを決定してもよく、ここで、当該第１の信号品質条件はネットワークデバイスによって前記第１の端末に設定されるものであってもよく、又は前記第２の端末デバイスによって前記第１の端末に設定されるものであってもよく、本願の実施例はこれについて限定しない。
【００９７】
別の実施例として、前記第１の端末は前記第１の端末と前記第２の端末との間の信号品質情報及び／又は前記第１の端末と前記第３の端末との間の信号品質情報に基づき、前記第１のメッセージを前記第３の端末に中継するか否かを決定することは、
前記第１の端末と前記第３の端末との間の信号品質が第２の信号品質条件を満たす場合、前記第１の端末は、前記第１のメッセージを前記第３の端末に中継することを決定すること、又は
前記第１の端末と前記第３の端末との間の信号品質が前記第２の信号品質条件を満たさない場合、前記第１の端末は、前記第１のメッセージを前記第３の端末に中継しないことを決定することを含む。
【００９８】
なお、前記第１の信号品質条件と同様に、前記第２の信号品質条件は特定の信号品質閾値、又は信号品質範囲などであってもよく、本願の実施例はこれについて限定しない。例えば、前記第１の端末は、前記第１の端末と前記第３の端末との間の信号品質が特定の信号品質閾値より高い又は低い場合、前記第１のメッセージを前記第３の端末に中継することを決定してもよく、当該第２の信号品質条件はネットワークデバイスによって設定されるものであってもよく、又は第２の端末によって設定されるものであってもよく、本願の実施例はこれについて限定しない。
【００９９】
本願の実施例では、前記第１の端末は前記第１の端末と前記第２の端末との間の信号品質情報、及び前記第１の端末と前記第３の端末との間の信号品質情報に基づき、第１のメッセージを前記第３の端末に中継するか否かを決定してもよい。例えば、前記第１の端末は、前記第１の端末と前記第２の端末との間の信号品質情報が第１の信号品質条件を満たし、且つ前記第１の端末と前記第３の端末との間の信号品質情報が第２の信号品質条件を満たす場合、前記第１のメッセージを前記第３の端末に中継することを決定してもよく、又は前記２つの条件のうちのいずれかの条件を満たさない場合、前記第１のメッセージを前記第３の端末に中継しないことを決定してもよく、本願の実施例はこれについて限定しない。
【０１００】
本願の実施例では、前記指示情報はさらに特定のリソースプールのセットを指示するために用いられてもよく、この場合、前記Ｓ２２０は、
前記第１のメッセージの送信リソースプールが前記特定のリソースプールのセットに属する場合、前記第１の端末は、前記第１のメッセージを前記第３の端末に中継することを決定すること、又は
前記第１のメッセージの送信リソースプールが前記特定のリソースプールのセットに属しない場合、前記第１の端末は、前記第１のメッセージを前記第３の端末に中継しないことを決定することを含んでよい。
【０１０１】
つまり、特定のリソースプールを介して送信されたメッセージのみが中継端末を介して当該メッセージを中継することができ、こうすると、前記第１の端末は当該第１のメッセージを受信した後、当該第１のメッセージの送信リソースプールが当該特定のリソースプールのセットに属するか否かを判断することができ、属すれば、当該第１のメッセージを中継することを決定し、そうでなければ、当該第１のメッセージを中継しないことを決定する。又は、特定のリソースプール以外の他のリソースプールから送信されたメッセージのみが中継端末を介して当該メッセージを中継してもよく、本願の実施例はこれについて限定しない。
【０１０２】
本願の実施例では、前記指示情報はさらにメッセージの中継方向を指示するために用いられてもよく、この場合、Ｓ２２０は、
前記第１の端末は前記第１のメッセージの中継方向に基づき、前記第１のメッセージを前記第３の端末に中継するか否かを決定することを含んでよい。
【０１０３】
１つの具体的な実施例では、前記第１の端末は前記第１のメッセージの中継方向に基づき、前記第１のメッセージを前記第３の端末に中継するか否かを決定することは、
前記第１のメッセージの中継方向が第１の方向である場合、前記第１の端末は、前記第１のメッセージを前記第３の端末に中継することを決定すること、又は
前記第１のメッセージの中継方向が前記第１の方向でない場合、前記第１の端末は、前記第１のメッセージを前記第３の端末に中継しないことを決定することを含む。
【０１０４】
ここで、前記第１の方向はネットワークデバイスによって前記第１の端末に設定されるもの、又は前記第２の端末によって前記第１の端末に設定されるものであり、前記第１の端末は当該第１のメッセージを受信した後、第１の端末と第２の端末との相対位置、及び／又は第１の端末と第３の端末との相対位置に基づき、前記第１のメッセージの中継方向を決定することができ、更に、当該中継方向が前記第１の方向であるか否かを決定することができ、そうであれば、当該第１のメッセージを中継することを決定し、そうでなければ、当該第１のメッセージを中継しないことを決定する。又は、第１のメッセージの中継方向が前記第１の方向でない場合、前記第１のメッセージを中継することを決定し、そうでなければ、前記第１のメッセージを中継しないことを決定してもよい。
【０１０５】
本願の実施例では、前記第１の端末は地理的位置情報、信号品質情報、送信端末、中継端末及び受信端末が属する端末デバイスのセットの情報、リソースプール情報、中継方向情報のうちの少なくとも２項をまとめて考慮して第３の端末に当該第１のメッセージを中継するか否かを決定することができ、具体的な実施形態は前述した実施例における関連説明を参照してもよく、ここでは説明を省略する。
【０１０６】
本願の実施例では、前記指示情報はさらに中継伝送の最大回数を指示するために用いられ、この場合、前記方法２００は、
前記第１のメッセージの中継回数が前記最大回数に達した場合、前記第１の端末は前記第１のメッセージの前記第３の端末への中継伝送を停止することをさらに含んでよい。
【０１０７】
一実施形態において、当該指示情報はカウンタであってもよく、前記第１の端末は前記第１のメッセージを中継伝送するごとに、前記第１のメッセージに含まれる前記指示情報によって指示される中継伝送の最大回数を１つ増加又は減少させて、変更された前記第１のメッセージを前記第３の端末に中継し、当該カウンタのカウント値が所定値に達すると、当該第１のメッセージの中継を停止する。例えば、最初にカウンタのカウント値がゼロであり、カウンタのカウント値が最大回数になったときに、当該第１のメッセージの中継を停止し、又は、最初に当該カウンタのカウント値が最大回数であり、カウンタのカウント値がゼロになったときに、当該第１のメッセージの中継を停止する。
【０１０８】
従って、本願の実施例に係るデータの伝送方法において、中継端末は、地理的位置情報、信号品質情報、送信端末、中継端末及び受信端末が属する端末デバイスのセットの情報、リソースプール情報、中継方向情報のうち少なくとも１項に基づき、当該第１のメッセージを第３の端末に中継するか否かを決定することができ、それにより柔軟な中継伝送を実施できる。
【０１０９】
上記説明は図２を参照して、端末デバイスの観点から本願の実施例によるデータの伝送方法について詳細に説明し、以下図３を参照して、ネットワークデバイスの観点から本願の他の実施例によるデータの伝送方法について詳細に説明する。理解すべきことは、ネットワークデバイス側の説明は端末デバイス側の説明と互いに対応し、同様の説明は上記説明を参照することができ、重複を避けるため、ここでは説明を省略する。
【０１１０】
図３は本願の他の実施例によるデータの伝送方法３００を示す概略フローチャートであり、当該方法３００は、図１に示される車両のインターネットシステムにおけるネットワークデバイスによって実行可能であり、図３に示すように、当該方法３００は、
ネットワークデバイスは、第１の端末が第２の端末から送信された第１のメッセージを受信した時に、前記第１のメッセージを第３の端末に中継するか否かを決定するための指示情報を決定するＳ３１０と、
前記ネットワークデバイスは前記第１の端末に前記指示情報を送信するＳ３２０とを含む。
【０１１１】
いくつかの実施例では、前記指示情報は地理的位置条件を指示するために用いられる。
【０１１２】
いくつかの実施例では、前記地理的位置条件は前記第１の端末の地理的位置情報に対応する第１の地理的位置条件、前記第２の端末の地理的位置情報に対応する第２の地理的位置条件及び前記第３の端末の地理的位置情報に対応する第３の地理的位置条件のうち少なくとも１項を含む。
【０１１３】
いくつかの実施例では、前記地理的位置情報は、絶対的な地理的位置情報又は相対的な地理的位置情報である。
【０１１４】
いくつかの実施例では、前記指示情報は、さらに中継端末のセットの情報、送信端末のセットの情報、及び受信端末のセットの情報のうち少なくとも１項を指示するために用いられ、
ここで、前記中継端末のセットは受信したメッセージを中継伝送できる端末デバイスのセットを指示するために用いられ、前記送信端末のセットは送信するメッセージを中継伝送する必要がある端末デバイスのセットを指示するために用いられ、前記受信端末のセットは中継伝送を介してメッセージを受信する必要がある端末デバイスのセットを指示するために用いられる。
【０１１５】
いくつかの実施例では、前記指示情報はさらに信号品質条件を指示するために用いられる。
【０１１６】
いくつかの実施例では、前記信号品質条件は前記第１の端末と前記第２の端末との間の信号品質情報に対応する第１の信号品質条件及び／又は前記第１の端末と前記第３の端末との間の信号品質情報に対応する第２の信号品質条件を含む。
【０１１７】
いくつかの実施例では、前記指示情報はさらに特定のリソースプールのセットを指示するために用いられる。
【０１１８】
いくつかの実施例では、前記指示情報はさらにメッセージの中継方向を指示するために用いられる。
【０１１９】
いくつかの実施例では、前記指示情報はさらに中継伝送の最大回数を指示するために用いられる。
【０１２０】
本願の実施例では、前記方法３００における内容は第２の端末、すなわち送信端末によって実行されてもよく、簡潔にするため、ここでは説明を省略する。
【０１２１】
上記説明は図２及び図３を参照して、本願の方法の実施例を詳細に説明し、以下は図４から図７を参照して、本願の装置の実施例を詳細に説明し、理解すべきことは、装置の実施例は方法の実施例と互いに対応し、同様の説明は方法の実施例を参照することができる。
【０１２２】
図４は本願の実施例による端末デバイス４００を示す概略ブロック図である。図４に示すように、当該端末デバイス４００は、
第２の端末から送信された第３の端末を目標端末とする第１のメッセージを受信するための通信モジュール４１０と、
指示情報に基づき、第１のメッセージを前記第３の端末に中継するか否かを決定するための決定モジュール４２０とを含む。
【０１２３】
いくつかの実施例では、前記指示情報は地理的位置情報を指示するために用いられる。
【０１２４】
いくつかの実施例では、前記地理的位置情報は前記端末デバイスの地理的位置情報、前記第２の端末の地理的位置情報及び前記第３の端末の地理的位置情報のうち少なくとも１項を含む。
【０１２５】
いくつかの実施例では、前記決定モジュール４２０は具体的に、
前記端末デバイスの地理的位置情報が第１の地理的位置条件を満たす場合、前記第１のメッセージを前記第３の端末に中継することを決定する、又は
前記端末デバイスの地理的位置情報が前記第１の地理的位置条件を満たさない場合、前記第１のメッセージを前記第３の端末に中継しないことを決定するために用いられる。
【０１２６】
いくつかの実施例では、前記決定モジュール４２０は、具体的に、
前記第２の端末の地理的位置情報が第２の地理的位置条件を満たす場合、前記第１のメッセージを前記第３の端末に中継することを決定する、又は
前記第２の端末の地理的位置情報が前記第２の地理的位置条件を満たさない場合、前記第１のメッセージを前記第３の端末に中継しないことを決定するために用いられる。
【０１２７】
いくつかの実施例では、前記決定モジュール４２０は、具体的に、
前記第３の端末の地理的位置情報が第３の地理的位置条件を満たす場合、前記第１のメッセージを前記第３の端末に中継することを決定する、又は
前記第３の端末の地理的位置情報が前記第３の地理的位置条件を満たさない場合、前記第１のメッセージを前記第３の端末に中継しないことを決定するために用いられる。
【０１２８】
いくつかの実施例では、前記第１の地理的位置条件、前記第２の地理的位置条件及び前記第３の地理的位置条件はネットワークデバイスによって設定されるもの、又は前記端末デバイスに予め設定されるものである。
【０１２９】
いくつかの実施例では、前記地理的位置情報は、絶対的な地理的位置情報又は相対的な地理的位置情報である。
【０１３０】
いくつかの実施例では、前記指示情報は、さらに中継端末のセットの情報、送信端末のセットの情報、及び受信端末のセットの情報のうち少なくとも１項を指示するために用いられ、
ここで、前記中継端末のセットは受信したメッセージを中継伝送できる端末デバイスのセットを指示するために用いられ、前記送信端末のセットは送信するメッセージを中継伝送する必要がある端末デバイスのセットを指示するために用いられ、前記受信端末のセットは中継伝送を介してメッセージを受信する必要がある端末デバイスのセットを指示するために用いられる。
【０１３１】
いくつかの実施例では、前記決定モジュール４２０は具体的に、
前記端末デバイスが前記中継端末のセットに属する場合、前記第１のメッセージを前記第３の端末に中継することを決定する、又は
前記端末デバイスが前記中継端末のセットに属しない場合、前記第１のメッセージを前記第３の端末に中継しないことを決定するために用いられる。
【０１３２】
いくつかの実施例では、前記決定モジュール４２０は具体的に、
前記第２の端末が前記送信端末のセットに属する場合、前記第１のメッセージを前記第３の端末に中継することを決定する、又は
前記第２の端末が前記送信端末のセットに属しない場合、前記第１のメッセージを前記第３の端末に中継しないことを決定するために用いられる。
【０１３３】
いくつかの実施例では、前記決定モジュール４２０は具体的に、
前記第３の端末が前記受信端末のセットに属する場合、前記第１のメッセージを前記第３の端末に中継することを決定する、又は
前記第３の端末が前記受信端末のセットに属しない場合、前記第１のメッセージを前記第３の端末に中継しないことを決定するために用いられる。
【０１３４】
いくつかの実施例では、前記中継端末のセットの情報、前記送信端末のセットの情報、及び前記受信端末のセットの情報は、ネットワークデバイスによって設定されるもの、又は前記第２の端末によって設定されるものである。
【０１３５】
いくつかの実施例では、前記中継端末のセットの情報、前記送信端末のセットの情報、及び前記受信端末のセットの情報は、端末デバイスの識別情報である。
【０１３６】
いくつかの実施例では、前記指示情報は信号品質情報を指示するために用いられる。
【０１３７】
いくつかの実施例では、前記信号品質情報は、前記端末デバイスと前記第２の端末との間の信号品質情報及び／又は前記端末デバイスと前記第３の端末との間の信号品質情報を含む。
【０１３８】
いくつかの実施例では、前記決定モジュール４２０は具体的に、
前記端末デバイスと前記第２の端末との間の信号品質が第１の信号品質条件を満たす場合、前記第１のメッセージを前記第３の端末に中継することを決定する、又は
前記端末デバイスと前記第２の端末との間の信号品質が前記第１の信号品質条件を満たさない場合、前記第１のメッセージを前記第３の端末に中継しないことを決定するために用いられる。
【０１３９】
いくつかの実施例では、前記決定モジュール４２０は具体的に、
前記端末デバイスと前記第３の端末との間の信号品質が第２の信号品質条件を満たす場合、前記第１のメッセージを前記第３の端末に中継することを決定する、又は
前記端末デバイスと前記第３の端末との間の信号品質が前記第２の信号品質条件を満たさない場合、前記第１のメッセージを前記第３の端末に中継しないことを決定するために用いられる。
【０１４０】
いくつかの実施例では、前記第１の信号品質条件は第１の信号品質閾値であり、前記第２の信号品質条件は第２の信号品質閾値である。
【０１４１】
いくつかの実施例では、前記第１の信号品質条件及び前記第２の信号品質条件はネットワークデバイスによって設定されるもの、又は前記端末デバイスに予め設定されるものである。
【０１４２】
いくつかの実施例では、前記指示情報はさらに特定のリソースプールのセットを指示するために用いられる。
【０１４３】
いくつかの実施例では、前記決定モジュール４２０は具体的に、
前記第１のメッセージの送信リソースプールが前記特定リソースプールのセットに属する場合、前記第１のメッセージを前記第３の端末に中継することを決定する、又は
前記第１のメッセージの送信リソースプールが前記特定リソースプールのセットに属しない場合、前記第１のメッセージを前記第３の端末に中継しないことを決定するために用いられる。
【０１４４】
いくつかの実施例では、前記指示情報はさらにメッセージの中継方向を指示するために用いられる。
【０１４５】
いくつかの実施例では、前記決定モジュール４２０は具体的に、
前記第１のメッセージの中継方向が第１の方向である場合、前記第１のメッセージを前記第３の端末に中継することを決定する、又は
前記第１のメッセージの中継方向が前記第１の方向でない場合、前記第１のメッセージを前記第３の端末に中継しないことを決定するために用いられる。
【０１４６】
いくつかの実施例では、前記第１の方向は、ネットワークデバイスによって設定されるもの、又は前記第２の端末によって設定されるものである。
【０１４７】
いくつかの実施例では、前記指示情報はさらに中継伝送の最大回数を指示するために用いられ、前記通信モジュール４１０はさらに、
前記第１のメッセージの中継回数が前記最大回数に達した場合、前記第１のメッセージの前記第３の端末への中継伝送を停止するために用いられる。
【０１４８】
いくつかの実施例では、前記端末デバイスは、前記第１のメッセージを受信した後、前記第１のメッセージに含まれる前記指示情報によって指示される中継伝送の最大回数を１つ増加又は減少させて、変更された前記第１のメッセージを前記第３の端末に中継する。
【０１４９】
いくつかの実施例では、前記通信モジュール４１０はさらに、
ネットワークデバイスから送信された前記指示情報を受信するために用いられる。
【０１５０】
いくつかの実施例では、前記通信モジュール４１０はさらに、
第２の端末から送信された前記指示情報を受信するために用いられる。
【０１５１】
いくつかの実施例では、前記第２の端末は物理レイヤメッセージ、メディアアクセス制御（ＭＡＣ）メッセージ、無線リンク制御（ＲＬＣ）メッセージ、パケットデータコンバージェンスプロトコル（ＰＤＣＰ）メッセージ、アダプテーションレイヤメッセージ、又はＰＣ５−Ｓメッセージによって前記指示情報を送信する。
【０１５２】
理解すべきことは、本願の実施例による端末デバイス４００は本願の方法の実施例における第１の端末に対応し、且つ端末デバイス４００における各ユニットの上記及び他の操作及び／又は機能はそれぞれ図２に示す方法２００における第１の端末の対応するプロセスを実施するためのものであり、簡潔にするため、ここでは説明を省略する。
【０１５３】
図５は本願の実施例によるネットワークデバイスを示す概略ブロック図である。図５のネットワークデバイス５００は、
第１の端末が第２の端末から送信された第１のメッセージを受信した時に、前記第１のメッセージを第３の端末に中継するか否かを決定するための指示情報を決定するために用いられる決定モジュール５１０と、
前記第１の端末に前記指示情報を送信するために用いられる通信モジュール５２０とを含む。
【０１５４】
いくつかの実施例では、前記指示情報は地理的位置条件を指示するために用いられる。
【０１５５】
いくつかの実施例では、前記地理的位置条件は前記第１の端末の地理的位置情報に対応する第１の地理的位置条件、前記第２の端末の地理的位置情報に対応する第２の地理的位置条件及び前記第３の端末の地理的位置情報に対応する第３の地理的位置条件のうち少なくとも１項を含む。
【０１５６】
いくつかの実施例では、前記地理的位置情報は、絶対的な地理的位置情報又は相対的な地理的位置情報である。
【０１５７】
いくつかの実施例では、前記指示情報は、さらに中継端末のセットの情報、送信端末のセットの情報、及び受信端末のセットの情報のうち少なくとも１項を指示するために用いられ、
ここで、前記中継端末のセットは受信したメッセージを中継伝送できる端末デバイスのセットを指示するために用いられ、前記送信端末のセットは送信するメッセージを中継伝送する必要がある端末デバイスのセットを指示するために用いられ、前記受信端末のセットは中継伝送を介してメッセージを受信する必要がある端末デバイスのセットを指示するために用いられる。
【０１５８】
いくつかの実施例では、前記指示情報はさらに信号品質条件を指示するために用いられる。
【０１５９】
いくつかの実施例では、前記信号品質条件は前記第１の端末と前記第２の端末との間の信号品質情報に対応する第１の信号品質条件及び／又は前記第１の端末と前記第３の端末との間の信号品質情報に対応する第２の信号品質条件を含む。
【０１６０】
いくつかの実施例では、前記指示情報はさらに特定のリソースプールのセットを指示するために用いられる。
【０１６１】
いくつかの実施例では、前記指示情報はメッセージの中継方向を指示するために用いられる。
【０１６２】
いくつかの実施例では、前記指示情報はさらに中継伝送の最大回数を指示するために用いられる。
【０１６３】
具体的には、当該ネットワークデバイス５００は上記方法３００に記載のネットワークデバイスに対応することができ（例えば、配置でき、又はそれ自体である）、且つ、当該ネットワークデバイス５００における各モジュール又はユニットはそれぞれ上記方法３００におけるネットワークデバイスに実行された各動作又は処理プロセスを実行するために用いられ、ここで、重複を避けるために、その詳細な説明を省略する。
【０１６４】
図６に示すように、本願の実施例はデータ伝送の端末デバイス６００をさらに提供し、前記端末デバイス６００は図４に示される端末デバイス４００であってもよく、それは図２に示される方法２００に対応する第１の端末の内容を実行するために用いることができる。前記端末デバイス６００は入力インタフェース６１０と、出力インタフェース６２０と、プロセッサ６３０と、メモリ６４０とを含み、前記入力インタフェース６１０と、出力インタフェース６２０と、プロセッサ６３０と、メモリ６４０とはバスシステムを介して接続されることができる。前記メモリ６４０はプログラム、コマンド又はコードを含めて記憶するために用いられる。前記プロセッサ６３０は、入力インタフェース６１０の信号受信を制御し、出力インタフェース６２０の信号送信を制御し、前述した方法の実施例における操作を完了するように、前記メモリ６４０におけるプログラム、コマンド又はコードを実行するために用いられる。
【０１６５】
理解すべきことは、本願の実施例では、前記プロセッサ６３０は中央処理ユニット（Ｃｅｎｔｒａｌ  Ｐｒｏｃｅｓｓｉｎｇ  Ｕｎｉｔ、略称「ＣＰＵ」）であってもよく、前記プロセッサ６３０はさらに他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサは、マイクロプロセッサであってもよく、又は前記プロセッサは、任意の通常のプロセッサなどであってもよい。
【０１６６】
前記メモリ６４０は読み取り専用メモリ及びランダムアクセスメモリを含み、コマンド及びデータをプロセッサ６３０に提供するものとしてもよい。メモリ６４０の一部は、不揮発性ランダムアクセスメモリをさらに含んでもよい。例えば、メモリ６４０は、デバイスタイプの情報をさらに記憶してもよい。
【０１６７】
実施プロセスにおいて、上記方法の各内容はプロセッサ６３０におけるハードウェアの集積論理回路又はソフトウェア形態のコマンドによって完了できる。本願の実施例に関連して開示される方法の内容は、ハードウェアプロセッサによって実行及び完了されるもの、又はプロセッサにおけるハードウェア及びソフトウェアモジュールの組み合わせによって実行及び完了されるものとして直接具体化されてもよい。ソフトウェアモジュールは、ランダムアクセスメモリ、フラッシュメモリ、読み取り専用メモリ、プログラマブル読み取り専用メモリ、又は電気的に消去可能なプログラマブルメモリ、及びレジスタなど、当技術分野での成熟した記憶媒体に配置してもよい。前記記憶媒体はメモリ６４０に配置され、プロセッサ６３０はメモリ６４０における情報を読み取り、そのハードウェアと組み合わせて上記方法の内容を完了する。重複を避けるために、ここでは詳細な説明を省略する。
【０１６８】
１つの具体的な実施形態では、図４の端末デバイス４００に含まれる決定モジュール４２０は、図６のプロセッサ６３０で実施されてもよく、図４の端末デバイス４００に含まれる通信モジュール４１０は、図６の前記入力インタフェース６１０及び前記出力インタフェース６２０で実施されてもよい。
【０１６９】
図７に示すように、本願の実施例はネットワークデバイス７００をさらに提供し、前記ネットワークデバイス７００は図５に示されるネットワークデバイス５００であってもよく、それは図３に示される方法３００に対応するネットワークデバイスの内容を実行するために用いることができる。前記ネットワークデバイス７００は入力インタフェース７１０と、出力インタフェース７２０と、プロセッサ７３０と、メモリ７４０とを含み、前記入力インタフェース７１０と、出力インタフェース７２０と、プロセッサ７３０と、メモリ７４０とはバスシステムを介して接続することができる。前記メモリ７４０はプログラム、コマンド又はコードを含めて記憶するために用いられる。前記プロセッサ７３０は、入力インタフェース７１０の信号受信を制御し、出力インタフェース７２０の信号送信を制御し、前述した方法の実施例における操作を完了するよう、前記メモリ７４０におけるプログラム、コマンド又はコードを実行するために用いられる。
【０１７０】
理解すべきことは、本願の実施例では、前記プロセッサ７３０は中央処理装置（Ｃｅｎｔｒａｌ  Ｐｒｏｃｅｓｓｉｎｇ  Ｕｎｉｔ、略称「ＣＰＵ」）であってもよく、前記プロセッサ７３０はさらに他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジック論理デバイス、ディスクリートハードウェアコンポーネントなどであってもよい。汎用プロセッサは、マイクロプロセッサであってもよく、又は前記プロセッサは、任意の通常のプロセッサなどであってもよい。
【０１７１】
前記メモリ７４０は読み取り専用メモリ及びランダムアクセスメモリを含み、コマンド及びデータをプロセッサ７３０に提供するものとしてもよい。メモリ７４０の一部は、不揮発性ランダムアクセスメモリをさらに含んでもよい。例えば、メモリ７４０は、デバイスタイプの情報を記憶することができる。
【０１７２】
実施プロセスにおいて、上記方法の各内容はプロセッサ７３０におけるハードウェアの集積論理回路又はソフトウェア形態のコマンドによって完了できる。本願の実施例に関連して開示される方法の内容は、ハードウェアプロセッサによって実行及び完了されるもの、又はプロセッサにおけるハードウェア及びソフトウェアモジュールの組み合わせによって実行及び完了されるものとして直接具体化されてもよい。ソフトウェアモジュールは、ランダムアクセスメモリ、フラッシュメモリ、読み取り専用メモリ、プログラマブル読み取り専用メモリ、又は電気的に消去可能なプログラマブルメモリ、及びレジスタなど、当技術分野での成熟した記憶媒体に配置してもよい。前記記憶媒体はメモリ７４０に配置され、プロセッサ７３０はメモリ７４０における情報を読み取り、そのハードウェアと組み合わせて上記方法の内容を完了する。重複を避けるために、ここでは詳細な説明を省略する。
【０１７３】
１つの具体的な実施形態では、図５のネットワークデバイス５００に含まれる決定モジュール５１０は、図７のプロセッサ７３０で実施されてもよく、図５のネットワークデバイス５００に含まれる通信モジュール５２０は、図７の前記入力インタフェース７１０及び前記出力インタフェース７２０で実施されてもよい。
【０１７４】
本願の実施例は、１つ又は複数のプログラムを記憶するコンピュータ可読記憶媒体をさらに提供し、当該１つ又は複数のプログラムはコマンドを含み、当該コマンドは、複数のアプリケーションプログラムを含む携帯型電子デバイスによって実行されると、当該携帯型電子デバイスに図２及び３に示される実施例の方法を実行させることができる。
【０１７５】
本願の実施例は、コマンドを含むコンピュータプログラムをさらに提供し、当該コンピュータプログラムはコンピュータによって実行されると、コンピュータに図２及び図３に示される実施例の方法に対応するフローチャートを実行させることができる。
【０１７６】
当業者は、本明細書に開示されている実施例に関連して説明される様々な例のユニット及びアルゴリズムステップは、電子ハードウェア、又はコンピュータソフトウェアと電子ハードウェアの組み合わせにより実施され得ることを理解するであろう。これらの機能をハードウェアで実行するか又はソフトウェアで実行するかは、技術的解決手段の特定の用途及び設計上の制限条件によって決定される。当業者は、各特定の用途に対して異なる方法で説明される機能を実施することができるが、このような実施は、本願の範囲を超えると考慮されるべきではない。
【０１７７】
当業者であれば明確に理解できるように、説明の便宜及び簡潔さのため、上記のシステム、装置及びユニットの具体的な動作プロセスについては前述した方法の実施例における対応するプロセスを参照すればよく、ここでは詳細な説明を省略する。
【０１７８】
本願にて提供されるいくつかの実施例では、開示されているシステム、装置及び方法は、その他の形態で実施可能であることが理解されたい。例えば、上述した装置の実施例は、例示的なものに過ぎず、例えば、前記ユニットの分割は、論理的な機能分割に過ぎず、実際に実施する際にその他の形態で分割することもでき、例えば、複数のユニット又は部品を組み合わせてもよいし、別のシステムに集積してもよく、又は一部の特徴を無視するか実行しなくてもよい。一方で、表示又は検討される相互結合、直接結合又は通信接続は、いくつかのインタフェース、装置又はユニットを介して間接的に結合するもの又は通信接続するものであってもよく、電気的形態、機械的形態又はその他の形態であってもよい。
【０１７９】
分離した部品として説明される前記ユニットは、物理的に分離したものであっても、物理的に分離したものでなくてもよく、ユニットとして表示された部品は、物理的なユニットであっても、物理的なユニットでなくてもよく、すなわち、同一の場所に設けられても、複数のネットワークユニット上に分布されてもよい。実際のニーズに応じて、一部のユニット又は全てのユニットを選択して本実施例の解決手段の目的を実施することができる。
【０１８０】
また、本願の各実施例における各機能ユニットは、１つの処理ユニットに集積されても、物理的に別々の部品として存在しても、２つ以上のユニットが１つのユニットに集積されてもよい。
【０１８１】
前記機能は、ソフトウェア機能ユニットの形態で実施されて独立した製品として販売又は使用される場合、コンピュータ可読記憶媒体に記憶できる。このような理解に基づき、本願の技術的解決手段は、本質上又は既存の技術に寄与する部分又は前記技術的解決手段の部分は、ソフトウェア製品の形態で具現化可能であり、前記コンピュータソフトウェア製品は記憶媒体に記憶され、コンピュータデバイス（パソコン、サーバ、又はネットワークデバイスなどであってもよい）に本願の各実施例に記載の方法のすべて又は一部のステップを実行させるためのいくつかのコマンドを含む。前記記憶媒体は、ＵＳＢフラッシュメモリ、ポータブルハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又はコンパクトディスクなど、プロクラムコードを記憶できる様々な媒体を含む。
【０１８２】
以上説明は、本願の具体的な実施形態に過ぎず、本願の保護範囲はこれらに限定されず、当業者であれば、本願に開示された技術的範囲内で容易に想到し得る変更や置換は、いずれも本願の保護範囲に含まれるべきである。従って、本願の保護範囲は、特許請求の範囲に記載の保護範囲に準拠するものとする。
【国際調査報告】
2021513762.tif 000010
2021513762.tif 000011
2021513762.tif 000012
2021513762.tif 000013